(57)【要約】  本発明はデータ同期処理方法及び装置を開示し、該方法は、Ｍ＋Ｎ個（Ｍ≧０、Ｎ≧０、Ｍ＋Ｎ≧１）の従属ＴＰにシグナル及び／又は転送パケットを送信することと、シグナル及び／又は転送パケットを送信することで従属ＴＰと下りデータ同期を行うことと、を含み、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行って、本発明によると、既存技術において如何にセル仮想化効果を保証しつつデータ同期のオーバーヘッドを制御するかの問題を解決し、セル仮想化の需要に応じてデータ同期を実現するレイヤ数を柔軟に調節して制御し、セル仮想化効果を保証した上、データ同期のオーバーヘッドを制御できる。
2017530644.tif 000002
【特許請求の範囲】
【請求項１】
主トランスポートポイントＴＰがＭ＋Ｎ個（Ｍ≧０、Ｎ≧０、Ｍ＋Ｎ≧１）の従属ＴＰにシグナル及び／又は転送パケットを送信することと、
シグナル及び／又は転送パケットを送信することで前記従属ＴＰと下りデータ同期を行うことと、を含み、
その中、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理方法。
【請求項２】
前記ＰＤＣＰレイヤが、従属ＴＰと主ＴＰのＰＤＣＰレイヤのプロトコルデータユニットＰＤＵが同一であるようにデータ同期する請求項１に記載の方法。
【請求項３】
前記主ＴＰが前記ＰＤＣＰレイヤの前記ＰＤＵを前記従属ＴＰに送信することを含むデータパケットを転送する方式と、
前記主ＴＰが、前記従属ＴＰがＰＤＣＰレイヤのＳＤＵにパッケージングを行ってＰＤＣＰレイヤのＰＤＵを形成するに用いられる前記ＰＤＣＰレイヤのデータ同期情報を前記従属ＴＰに送信することを含むシグナル方式と、
の中の少なくとも一つの方式で、前記ＰＤＣＰレイヤのデータ同期を行う請求項２に記載の方法。
【請求項４】
前記ＰＤＣＰレイヤのデータ同期情報が、ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む請求項３に記載の方法。
【請求項５】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期する請求項１に記載の方法。
【請求項６】
前記主ＴＰがＰＤＣＰレイヤ、ＲＬＣレイヤ、ＭＡＣレイヤのデータのデータ同期情報を前記従属ＴＰに送信することを含むシグナル方式と、ここで前記ＰＤＣＰレイヤ、ＲＬＣレイヤ、ＭＡＣレイヤの前記データ同期情報は、前記従属ＴＰがＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成するに用いられ、
前記主ＴＰがＰＤＣＰレイヤのＰＤＵを前記従属ＴＰに伝送し、また前記従属ＴＰがＲＬＣ及びＭＡＣレイヤのＰＤＵを形成するに用いるＲＬＣ／ＭＡＣレイヤのデータ同期情報を前記従属ＴＰに伝送すること、又は前記主ＴＰがＰＤＣＰレイヤのＳＤＵを前記従属ＴＰに送信し、また前記従属ＴＰがＰＤＣＰ、ＲＬＣ、ＭＡＣレイヤのＰＤＵを形成するに用いるＰＤＣＰ／ＲＬＣ／ＭＡＣレイヤのデータ同期情報を前記従属ＴＰに送信することを含むシグナルにパケットを追加して転送する方式と
の中の一つの方式で、前記従属ＴＰと前記主ＴＰのＰＤＣＰ、ＲＬＣ、ＭＡＣレイヤのＰＤＵの同一を実現する請求項５に記載の方法。
【請求項７】
ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む前記ＰＤＣＰレイヤのデータ同期情報と、
ＲＬＣ送信バッファー状態、ＲＬＣレイヤのＰＤＵパケットヘッダーの中の少なくとも一つを含む前記ＲＬＣデータ同期情報と、
スケジューリングやリソース割り当て情報、ＭＡＣレイヤパケットヘッダー、ＭＡＣレイヤ制御要素と、ＭＡＣレイヤのパケットヘッダー中のサブパケットヘッダーとＭＡＣ  ＳＤＵの番号との対応関係の中の少なくとも一つを含む前記ＭＡＣレイヤのデータ同期情報と、
の中の少なくとも一つを含む請求項６に記載の方法。
【請求項８】
前記ＰＤＣＰ／ＲＬＣ／ＭＡＣレイヤが、ＭＡＣレイヤのＰＤＵが同一であるようにデータ同期し、前記主ＴＰがＭＡＣレイヤのＰＤＵを前記従属ＴＰに送信するパケット転送方式によって実現する請求項５に記載の方法。
【請求項９】
前記ＰＤＣＰレイヤのデータ同期は、
前記従属ＴＰと前記主ＴＰがまずＰＤＣＰレイヤの同期を実現し、その後、ＲＬＣ／ＭＡＣレイヤのデータ同期を行うことを含む請求項１に記載の方法。
【請求項１０】
ＰＤＣＰレイヤの同期を行った後、前記主ＴＰがシグナルを介して、前記従属ＴＰにＲＬＣ／ＭＡＣレイヤのデータ同期を行うことを通知する請求項９に記載の方法。
【請求項１１】
前記ＰＤＣＰレイヤのデータ同期が、
前記主ＴＰがノードに、データパケットを前記従属ＴＰに送信することを指示することと、
前記主ＴＰが前記従属ＴＰに、ノードからのデータを受信することを指示することと、
前記主ＴＰが前記従属ＴＰに、ノードにデータ要求を送信することを指示し、前記従属ＴＰがノードにデータ送信要求を送信し、ノードが前記従属ＴＰにデータを送信すること、
の中の少なくとも一つを含む請求項１に記載の方法。
【請求項１２】
前記主ＴＰがノードにデータパケットを前記従属ＴＰに送信することを指示する場合、前記主ＴＰが前記従属ＴＰのマーク情報をノードに送信し、
前記主ＴＰが前記従属ＴＰにノードからのデータを受信することを指示する場合、前記主ＴＰが前記データパケットのマーク情報を前記従属ＴＰに送信し、
前記主ＴＰが前記従属ＴＰにノードにデータ要求を送信することを指示し、前記従属ＴＰがノードにデータ送信要求を送信し、ノードが前記従属ＴＰにデータを送信する場合、前記従属ＴＰが要求したデータパケットのマーク情報を前記ノードに送信する請求項１１に記載の方法。
【請求項１３】
前記主ＴＰがノードにデータパケットを前記従属ＴＰに送信することを指示する場合、前記従属ＴＰが、前記ノードからのデータパケットに前記従属ＴＰに対応するマーク情報が含まれているか否かを検出する請求項１２に記載の方法。
【請求項１４】
前記データパケットのマーク情報が、仮想セルマーク、接続マーク、ユーザ機器マークの中の少なくとも一つを含む請求項１２に記載の方法。
【請求項１５】
前記ノードが、ゲートウェイ又はＴＰである請求項１１に記載の方法。
【請求項１６】
前記ＴＰが、マクロ基地局、スモール基地局、ＲＲＨ、マイクロ基地局の中の少なくとも一つを含む請求項１乃至１５の中のいずれか一項に記載の方法。
【請求項１７】
従属トランスポートポイントＴＰが、主ＴＰから送信されたシグナル及び／又は転送パケットを受信することと、
シグナル及び／又は転送パケットを受信することで前記主ＴＰと下りデータ同期を実現することと、を含み、
ここで、Ｍ個の従属ＴＰと主ＴＰとはパケットデータコンバージェンスプロトコルＰＤＣＰレイヤでデータ同期を実現し、Ｎ（Ｍ≧０、Ｎ≧０、Ｍ＋Ｎ≧１）個の従属ＴＰと主ＴＰとはＰＤＣＰ／無線リンク制御ＲＬＣ／媒体アクセス制御ＭＡＣレイヤでデータ同期を実現するデータ同期処理方法。
【請求項１８】
前記ＰＤＣＰレイヤが、従属ＴＰと主ＴＰのＰＤＣＰレイヤのプロトコルデータユニットＰＤＵが同一であるようにデータ同期する請求項１７に記載の方法。
【請求項１９】
前記従属ＴＰが前記主ＴＰから送信された前記ＰＤＣＰレイヤの前記ＰＤＵを受信することを含むデータパケットを転送する方式と、
前記従属ＴＰが前記主ＴＰから送信された前記ＰＤＣＰレイヤのデータ同期情報を受信し、前記従属ＴＰが前記データ同期情報に従ってＰＤＣＰレイヤのＳＤＵにパッケージングを行ってＰＤＣＰレイヤのＰＤＵを形成することを含むシグナル方式と、
の中の少なくとも一つで前記ＰＤＣＰレイヤのデータ同期を行う請求項１８に記載の方法。
【請求項２０】
前記ＰＤＣＰレイヤのデータ同期情報が、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含む請求項１９に記載の方法。
【請求項２１】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期する請求項１７に記載の方法。
【請求項２２】
前記従属ＴＰが前記主ＴＰから送信されたＰＤＣＰレイヤ、ＲＬＣレイヤ、ＭＡＣレイヤデータのデータ同期情報を受信し、前記従属ＴＰが前記ＰＤＣＰレイヤ、ＲＬＣレイヤ、ＭＡＣレイヤの前記データ同期情報に基づいてＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成することを含むシグナル方式と、
前記従属ＴＰが前記主ＴＰから伝送されたＰＤＣＰレイヤのＰＤＵとＲＬＣ／ＭＡＣレイヤのデータ同期情報を受信し、前記従属ＴＰが前記データ同期情報に基づいて、ＲＬＣ及びＭＡＣレイヤのＰＤＵを形成すること、又は前記従属ＴＰが前記主ＴＰから送信されたＰＤＣＰレイヤのＳＤＵとＰＤＣＰ／ＲＬＣ／ＭＡＣレイヤのデータ同期情報を受信し、前記データ同期情報に基づいてＰＤＣＰ、ＲＬＣ、ＭＡＣレイヤのＰＤＵを形成することを含むシグナルにパケットを追加して転送する方式と、
の中の少なくとも一つで前記従属ＴＰと前記主ＴＰのＰＤＣＰ、ＲＬＣ、ＭＡＣレイヤのＰＤＵの同一を実現する請求項２１に記載の方法。
【請求項２３】
ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む前記ＰＤＣＰレイヤのデータ同期情報と、
ＲＬＣ送信バッファー状態、ＲＬＣレイヤのＰＤＵパケットヘッダーの中の少なくとも一つを含む前記ＲＬＣデータ同期情報と、
スケジューリングやリソース割り当て情報、ＭＡＣレイヤパケットヘッダー、ＭＡＣレイヤ制御要素と、ＭＡＣレイヤのパケットヘッダー中のサブパケットヘッダーとＭＡＣ  ＳＤＵの番号との対応関係の中の少なくとも一つを含む前記ＭＡＣレイヤのデータ同期情報と
の中の少なくとも一つを含む請求項２２に記載の方法。
【請求項２４】
前記ＰＤＣＰ／ＲＬＣ／ＭＡＣレイヤが、ＭＡＣレイヤのＰＤＵが同一であるようにデータ同期し、前記従属ＴＰが前記主ＴＰから送信されたＭＡＣレイヤのＰＤＵを受信することを含むパケット転送方式で実現する請求項２１に記載の方法。
【請求項２５】
前記ＰＤＣＰレイヤのデータ同期が、前記従属ＴＰと前記主ＴＰとがまずＰＤＣＰレイヤの同期を行って、その後、ＲＬＣ／ＭＡＣレイヤのデータ同期を行うことを含む請求項１７に記載の方法。
【請求項２６】
ＰＤＣＰレイヤの同期を行った後、前記従属ＴＰが、前記主ＴＰのシグナルによってＲＬＣ／ＭＡＣレイヤのデータ同期を行うことを通知する請求項２５に記載の方法。
【請求項２７】
前記ＰＤＣＰレイヤのデータ同期は、
前記主ＴＰがノードに、データパケットを前記従属ＴＰに送信することを指示することと、
前記主ＴＰが前記従属ＴＰに、ノードからのデータを受信することを指示することと、
前記主ＴＰが前記従属ＴＰに、ノードにデータ要求を送信することを指示し、前記従属ＴＰがノードにデータ送信要求を送信し、ノードが前記従属ＴＰにデータを送信することの中の少なくとも一つを含む請求項１７に記載の方法。
【請求項２８】
前記従属ＴＰが、ノードからのデータパケットに自体に対応するマーク情報が含まれているか否かを検出し、
前記従属ＴＰが前記主ＴＰの指示に応じて、ノードからのデータを受信し、
前記従属ＴＰが前記主ＴＰの指示に応じて、ノードにデータ送信要求を送信し、また、ノードから送信されたデータを受信する請求項２７に記載の方法。
【請求項２９】
前記従属ＴＰが前記主ＴＰの指示に応じて、ノードからのデータを受信する場合、前記従属ＴＰが前記主ＴＰから送信されたデータパケットのマーク情報に基づいてデータパケットを受信し、
前記従属ＴＰが前記主ＴＰの指示に応じて、ノードにデータ送信要求を送信する場合、前記従属ＴＰがデータパケットのマーク情報をノードに送信する請求項２８に記載の方法。
【請求項３０】
前記データパケットのマーク情報が、仮想セルマーク、接続マーク、ユーザ機器マークの中の少なくとも一つを含む請求項２８に記載の方法。
【請求項３１】
前記ノードがゲートウェイ又はＴＰである請求項２７に記載の方法。
【請求項３２】
前記ＴＰが、マクロ基地局、スモール基地局、ＲＲＨ、マイクロ基地局の中の少なくとも一つを含む請求項１７乃至３１の中のいずれかに記載の方法。
【請求項３３】
主トランスポートポイントＴＰに位置するデータ同期処理装置であって、
Ｍ＋Ｎ個（Ｍ≧０、Ｎ≧０、Ｍ＋Ｎ≧１）の従属ＴＰにシグナル及び／又は転送パケットを送信するように構成される送信手段と、
シグナル及び／又は転送パケットを送信することで前記従属ＴＰと下りデータ同期を行うように構成される第１の同期手段と、を含み、
Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理装置。
【請求項３４】
従属トランスポートポイントＴＰに位置するデータ同期処理装置であって、
主ＴＰから送信されたシグナル及び／又は転送パケットを受信するように構成される受信手段と、
シグナル及び／又は転送パケットを受信することで前記主ＴＰと下りデータ同期を行う第２の同期手段と、を含み、
Ｍ個の従属ＴＰと主ＴＰとはパケットデータコンバージェンスプロトコルＰＤＣＰレイヤでデータ同期を行い、Ｎ個（Ｍ≧０、Ｎ≧０、Ｍ＋Ｎ≧１）の従属ＴＰと主ＴＰとはＰＤＣＰ／無線リンク制御ＲＬＣ／媒体アクセス制御ＭＡＣレイヤでデータ同期を行うデータ同期処理装置。
【発明の詳細な説明】
【技術分野】
【０００１】
本発明は、通信分野に関し、特に、データ同期処理方法及び装置に関するものである。
【背景技術】
【０００２】
移動通信の発展履歴によると、セル分割と、最も大きい帯域幅と、一層高いスペクトル効率とはシステムの容量を向上させる際の三つの中堅である。よって、「セル分割」は５Ｇシステムの容量を増加する目的を実現できるキーポイントである。
【０００３】
４Ｇシステムは、ヘテロジニアスネットワーク（Ｈｅｔｅｒｏｇｅｎｅｏｕｓ  Ｎｅｔｗｏｒｋ、ＨｅｔＮｅｔと略称）を介してセル分割ゲインを取得する。ＨｅｔＮｅｔネットワークにおいて、低電力トランスポートポイント（Ｔｒａｎｓｍｉｓｓｉｏｎ  Ｐｏｉｎｔ、ＴＰと略称）がマクロセル基地局（Ｍａｃｒｏ  Ｃｅｌｌ  ｅＮｏｄｅＢ又はｅＮＢ）のカバー領域内に柔軟に且つまばらに配置されて、マクロセルとスモールセル（Ｓｍａｌｌ  Ｃｅｌｌ）からなる複数レイヤのネットワークを形成している。ＨｅｔＮｅｔは、カバーを保証しながらセル分割の柔軟性やシステム容量の向上を保証し、マクロセルのサービス圧力を負担すると共に、マクロセルのカバー範囲を拡大する。４Ｇシステムの研究の終わりにおいて、システムの容量を一層向上させるため、３ＧＰＰでＳｍａｌｌ  Ｃｅｌｌ強化技術を提示してｓｍａｌｌ  ｃｅｌｌを高密度で配置する際現れる問題に初期段階的研究を行った。
【０００４】
超高密度ネットワーク（Ｕｌｔｒａ  Ｄｅｎｓｅ  Ｎｅｔｗｏｒｋ、ＵＤＮと略称）がこのような背景下で提示されたもので、Ｓｍａｌｌ  Ｃｅｌｌ強化技術の進化とみなすことができる。ＵＤＮネットワークにおいて、ＴＰ密度は一層向上され、ＴＰのカバー範囲は一層縮小され（数十メートル、ひいては十数メートル）、各ＴＰはただ同時に一つ又は少数の幾つかのユーザのためのサービングに用いられる。超高密度の配置によると、ＴＰと端末（又はユーザ機器とも呼ばれ、即ちＵＥ、Ｕｓｅｒ  Ｅｑｕｉｐｍｅｎｔ）の距離を縮小して、送信電力を大幅に低減し、且つ非常に近いので、上り、下りリンクの差異もこれにより縮小される。
【０００５】
移動性問題と干渉問題は、ＵＤＮネットワークが解決すべき技術課題である。ＴＰ密度が高く、ＴＰカバー範囲が小さいので、端末は移動中にＴＰ間で頻繁に切り替えする。頻繁に切り替えすると、ネットワークに巨大なシグナル圧力をとえて、ＴＣＰ／ＩＰ性能が劣化し、ユーザの体験に厳重な影響をとえてしまう。一方、ＴＰの高密度配置によると、ネットワークの干渉環境画一層複雑化し、容量の更なる向上を制限する。
【０００６】
セルの仮想化は、ＵＤＮネットワークの移動性や干渉問題を解決するキーポイント技術である。その核心は、ユーザを中心とする仮想セルを確立して、ユーザがどの位置まで移動しても自分がセルの中心に位置し、終始高品質のデータ通信サービスを受けることを感じさせる。仮想セルはユーザ周辺の幾つかのＴＰからなる。図１は、既存技術における仮想セルを示す図で、図１に示すように、ユーザが移動したり又は周辺環境が変化する過程において、新しいＴＰが絶えずに仮想セルに加入され、旧ＴＰは仮想セルから離脱し、仮想セルがユーザの移動に伴って移動し、又は周辺環境の変化に伴って変化して、ユーザの体験の一致性を保証し、当該過程をセルのビームフォーミング（ｆｏｒｍｉｎｇ）又はリフォーミング（ｒｅｆｏｒｍｉｎｇ）と称す。
【０００７】
仮想セルにおいて、有効な仮想化を実現するため、各ＴＰが同一のユーザデータのパッケージング方式を用いらなければならず、即ち、各ＴＰの結合データ伝送を実現し又はＴＰ間での柔軟な切り替えを実現してユーザデータの伝送の中断を回避しなければならない。各ＴＰがユーザデータのパッケージング方式を一致させる過程をデータ同期と称す。データ同期を如何に実現するかは、セル仮想化技術において至急解決すべき問題である。
【０００８】
図２は既存技術におけるユーザプレーンのプロトコルスタックを示す図で、図２の（左図）に示すように、ＬＴＥ（Ｌｏｎｇ  Ｔｅｒｍ  Ｅｖｏｌｕｔｉｏｎ）のユーザプレーンのプロトコルスタックは、ＰＤＣＰ（Ｐａｃｋｅｔ  Ｄａｔａ  Ｃｏｎｖｅｒｇｅｎｃｅ  Ｐｒｏｔｏｃｏｌ）レイヤと、ＲＬＣ（Ｒａｄｉｏ  Ｌｉｎｋ  Ｃｏｎｔｒｏｌ）レイヤと、ＭＡＣ（Ｍｅｄｉｕｍ  Ａｃｃｅｓｓ  Ｃｏｎｔｒｏｌ）レイヤと、ＰＨＹ（Ｐｈｙｓｉｃａｌ  ｌａｙｅｒ）レイヤからなり、その中のＰＤＣＰレイヤが最も上位に位置し、ＰＨＹレイヤが最も下位に位置する。図３は既存技術におけるＳＤＵ／ＰＤＵ関係を示す図で、図３に示すように、送信側において、上位が下位に伝送するデータパケットのことをプロトコルデータユニット（ＰＤＵ、Ｐｒｏｔｏｃｏｌ  Ｄａｔａ  Ｕｎｉｔ）と称し、下位が受信する上位から送信されたデータパケットのことをサービスデータユニット（ＳＤＵ、Ｓｅｒｖｉｃｅ  Ｄａｔａ  Ｕｎｉｔ）と称す。受信側はその反対である。そして、ＬＴＥは更に制御プレーンを含み、図２の（右図）にそのプロトコルスタックを示す。
【０００９】
ＰＤＣＰレイヤは主に、ＩＰパケットのヘッダー圧縮／圧縮解除（Ｈｅａｄｅｒ  ｃｏｍｐｒｅｓｓｉｏｎ  ａｎｄ  ｄｅｃｏｍｐｒｅｓｓｉｏｎ）、ユーザデータの伝送（Ｔｒａｎｓｆｅｒ  ｏｆ  ｕｓｅｒ  ｄａｔａ）、パケットの順序受送信（Ｉｎ−ｓｅｑｕｅｎｃｅ  ｄｅｌｉｖｅｒｙ  ｏｆ  ｕｐｐｅｒ  ｌａｙｅｒ  ＰＤＵｓ）、重複パケットの検出（Ｄｕｐｌｉｃａｔｅ  ｄｅｔｅｃｔｉｏｎ  ｏｆ  ｌｏｗｅｒ  ｌａｙｅｒ  ＳＤＵｓ）、パケットの重複伝送（Ｒｅｔｒａｎｓｍｉｓｓｉｏｎ  ｏｆ  ＰＤＣＰ  ＳＤＵｓ）、暗号化／復号化（Ｃｉｐｈｅｒｉｎｇ  ａｎｄ  ｄｅｃｉｐｈｅｒｉｎｇ）、タイマーに基づくパケット廃棄操作（Ｔｉｍｅｒ−ｂａｓｅｄ  ＳＤＵ  ｄｉｓｃａｒｄ）を行う。ＰＤＣＰレイヤのＰＤＵは、制御プレーンのＰＤＣＰ  Ｄａｔａ  ＰＤＵ（制御プレーンのデータを乗せる）と、ユーザプレーンのＰＤＣＰ  Ｄａｔａ  ＰＤＵ（ユーザプレーンのユーザデータを乗せる）と、ＰＤＣＰ  Ｃｏｎｔｒｏｌ  ＰＤＵ（ＰＤＣＰ制御情報を乗せる）とに分けられる。
【００１０】
ＲＬＣレイヤは、上位（即ち、ＰＤＣＰレイヤ）から送信されるデータパケット（Ｔｒａｎｓｆｅｒ  ｏｆ  ｕｐｐｅｒ  ｌａｙｅｒ  ＰＤＵｓ）、誤り訂正（Ｅｒｒｏｒ  Ｃｏｒｒｅｃｔｉｏｎ  ｔｈｒｏｕｇｈ  ＡＲＱ）、セグメント化／連結処理／再構成（Ｃｏｎｃａｔｅｎａｔｉｏｎ、ｓｅｇｍｅｎｔａｔｉｏｎ  ａｎｄ  ｒｅａｓｓｅｍｂｌｙ  ｏｆ  ＲＬＣ  ＳＤＵｓ）、再セグメント化（Ｒｅ−ｓｅｇｍｅｎｔａｔｉｏｎ  ｏｆ  ＲＬＣ  ｄａｔａ  ＰＤＵｓ）、順位付け（Ｒｅｏｒｄｅｒｉｎｇ  ｏｆ  ＲＬＣ  ｄａｔａ  ＰＤＵｓ）、パケット重複検出（Ｄｕｐｌｉｃａｔｅ  ｄｅｔｅｃｔｉｏｎ）、プロトコル誤り検出（Ｐｒｏｔｏｃｏｌ  ｅｒｒｏｒ  ｄｅｔｅｃｔｉｏｎ）、パケット廃棄（ＲＬＣ  ＳＤＵ  ｄｉｓｃａｒｄ）、ＲＬＣレイヤ再構築（ＲＬＣ  ｒｅ−ｅｓｔａｂｌｉｓｈｍｅｎｔ）を実行する。ＭＡＣレイヤは、ロジックチャネルと伝送チャネルマッピング（Ｍａｐｐｉｎｇ  ｂｅｔｗｅｅｎ  ｌｏｇｉｃａｌ  ｃｈａｎｎｅｌｓ  ａｎｄ  ｔｒａｎｓｐｏｒｔ  ｃｈａｎｎｅｌｓ）、ＭＡＣ  ＳＤＵのパッケージング／パッケージング解除（Ｍｕｌｔｉｐｌｅｘｉｎｇ／ｄｅｍｕｌｔｉｐｌｅｘｉｎｇ  ｏｆ  ＭＡＣ  ＳＤＵs）、スケジューリング情報の報知（ｓｃｈｅｄｕｌｉｎｇ  ｉｎｆｏｒｍａｔｉｏｎ  ｒｅｐｏｒｔｉｎｇ）、ＨＡＲＱを用いた誤り訂正（Ｅｒｒｏｒ  ｃｏｒｒｅｃｔｉｏｎ  ｔｈｒｏｕｇｈ  ＨＡＲＱ）、ＵＥロジックチャネル優先級処理（Ｐｒｉｏｒｉｔｙ  ｈａｎｄｌｉｎｇ  ｂｅｔｗｅｅｎ  ｌｏｇｉｃａｌ  ｃｈａｎｎｅｌｓ  ｏｆ  ｏｎｅ  ＵＥ）、ＵＥ同士の優先級処理（Ｐｒｉｏｒｉｔｙ  ｈａｎｄｌｉｎｇ  ｂｅｔｗｅｅｎ  ＵＥｓ）、伝送タイプの選択（Ｔｒａｎｓｐｏｒｔ  ｆｏｒｍａｔ  ｓｅｌｅｃｔｉｏｎ）等を行う。ＰＨＹレイヤは、変調／復調、符号化／復号化、インターリービング／デインターリービング及び物理信号処理等の操作を行う。
【００１１】
図３に示すように、ＲＬＣレイヤのＰＤＵは、パケットヘッダーとデータ（又は、データのみ）からなる。パケットヘッダーは、ＲＬＣ  ＳＤＵの長さ、タイプ等の情報を指示する。
【００１２】
図３に示すように、ＭＡＣレイヤのＰＤＵは、ＭＡＣレイヤのパケットヘッダー（ＭＡＣ  ｈｅａｄｅｒ）とＭＡＣレイヤの負荷（ＭＡＣ  ｐａｙｌｏａｄ）からなる。ＭＡＣレイヤの負荷は、ＭＡＣレイヤの制御ユニットＭＡＣ  ｃｏｎｔｒｏｌ  ｅｌｅｍｅｎｔ（ＭＡＣ  ＣＥ）、ＭＡＣレイヤのＳＤＵ、パディングビット（ｐａｄｄｉｎｇ  ｂｉｔ、ＭＡＣレイヤのＰＤＵの長さが特定の需要を満たすようにする）からなる。ＭＡＣレイヤのパケットヘッダーは、複数のサブパケットヘッダーを含み、ＭＡＣ  ＣＥ、ＭＡＣ  ＳＤＵ及びｐａｄｄｉｎｇ  ｂｉｔに対応し、ＭＡＣレイヤの負荷中の各要素（ＭＡＣ  ＣＥ、ＭＡＣ  ＳＤＵ又はｐａｄｄｉｎｇ  ｂｉｔ）の情報（長さ、ＭＡＣ  ＰＤＵ中の相対位置、情報タイプ等）を指示する。ＭＡＣ  ＣＥのタイプはさまざまで、各種のＭＡＣレイヤの制御情報を伝送し、例えばパワーヘッドルーム報告（Ｐｏｗｅｒ  Ｈｅａｄｒｏｏｍ  Ｒｅｐｏｒｔ）に用いられるＭＡＣ  ＣＥ、バッファ ステータスレポート（Ｂｕｆｆｅｒ  Ｓｔａｔｕｓ  Ｒｅｐｏｒｔ）に用いられるＭＡＣ  ＣＥ、タイミングアドバンスコマンド（Ｔｉｍｉｎｇ  Ａｄｖａｎｃｅ  Ｃｏｍｍａｎｄ）の送信に用いられるＭＡＣ  ＣＥ等がある。
【００１３】
完全な下りデータ同期とは、異なるＴＰ間で、ＰＤＣＰレイヤからＭＡＣレイヤへいずれも同期を実現したことを指し、各レイヤのデータパケットのパッケージング方式、各レイヤの状態変数の値、タイマーの状態等を含む。また、一つのＴＰにおいてＰＤＣＰレイヤからＭＡＣレイヤへのデータのパッケージングを行った後、ＭＡＣレイヤのデータパケットを他のＴＰへ送信する方式で完全な同期を実現することもできる（即ち、各ＴＰにおいて、ＭＡＣレイヤのデータパケットが完全に同じであるので、ＭＡＣレイヤのデータパケットにパッケージングされたＰＤＣＰレイヤ／ＲＬＣレイヤデータも完全に同じである）。データ完全同期の状態下、仮想セルは端末に対するサービングＴＰを動的に選択して、最も良好な仮想化効果を実現することができる。一方、プロトコルスタックのそれぞれのレイヤはいずれも、該レイヤのＳＤＵの基に、別途のオーバーヘッドを追加してＰＤＵを形成して、該レイヤが支援すべき機能を実現しなければならない。従って、データ同期を実現するレイヤ数が多いほど、セル仮想化の効果が優れているが、データ同期フローがますます複雑になり、データ同期に用いられるオーバーヘッドも大きくなっている。よって、如何にセル仮想化の効果を保証した上、データ同期のオーバーヘッドを制御するかが、データ同期フローを設計するにおいて解決すべき問題となった。
【発明の概要】
【発明が解決しようとする課題】
【００１４】
本発明は、セル仮想化中にＴＰ間のデータ同期問題を解決できるデータ同期処理方法及び装置を提供する。
【課題を解決するための手段】
【００１５】
本発明の一態様によると、主トランスポートポイントＴＰがＭ＋Ｎ個（Ｍ≧０、Ｎ≧０、Ｍ＋Ｎ≧１）の従属ＴＰにシグナル及び／又は転送パケットを送信することと、シグナル及び／又は転送パケットを送信することで前記従属ＴＰと下りデータ同期を行うことと、を含み、その中、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理方法を提供する。
【００１６】
前記ＰＤＣＰレイヤが、従属ＴＰと主ＴＰのＰＤＣＰレイヤのプロトコルデータユニットＰＤＵが同一であるようにデータ同期することであることが好ましい。
【００１７】
前記主ＴＰが前記ＰＤＣＰレイヤの前記ＰＤＵを前記従属ＴＰに送信することを含むデータパケットを転送する方式と、前記主ＴＰが前記従属ＴＰがＰＤＣＰレイヤのＳＤＵにパッケージングを行ってＰＤＣＰレイヤのＰＤＵを形成するに用いられる前記ＰＤＣＰレイヤのデータ同期情報を前記従属ＴＰに送信することを含むシグナル方式との中の少なくとも一つの方式で、前記ＰＤＣＰレイヤのデータ同期を行うことが好ましい。
【００１８】
前記ＰＤＣＰレイヤのデータ同期情報が、ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含むことが好ましい。
【００１９】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期することが好ましい。
【００２０】
前記主ＴＰがＰＤＣＰレイヤ、ＲＬＣレイヤ、ＭＡＣレイヤのデータのデータ同期情報を前記従属ＴＰに送信することを含むシグナル方式と、ここで前記ＰＤＣＰレイヤ、ＲＬＣレイヤ、ＭＡＣレイヤの前記データ同期情報は、前記従属ＴＰがＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成するに用いられ、また、前記主ＴＰがＰＤＣＰレイヤのＰＤＵを前記従属ＴＰに伝送し、また前記従属ＴＰがＲＬＣ及びＭＡＣレイヤのＰＤＵを形成するに用いるＲＬＣ／ＭＡＣレイヤのデータ同期情報を前記従属ＴＰに伝送すること、又は前記主ＴＰがＰＤＣＰレイヤのＳＤＵを前記従属ＴＰに送信し、また前記従属ＴＰがＰＤＣＰ、ＲＬＣ、ＭＡＣレイヤのＰＤＵを形成するに用いるＰＤＣＰ／ＲＬＣ／ＭＡＣレイヤのデータ同期情報を前記従属ＴＰに送信することを含むシグナルにパケットを追加して転送する方式との中の一つの方式で、前記従属ＴＰと前記主ＴＰのＰＤＣＰ、ＲＬＣ、ＭＡＣレイヤのＰＤＵの同一を実現することが好ましい。
【００２１】
ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含む前記ＰＤＣＰレイヤのデータ同期情報と、ＲＬＣ送信バッファー状態、ＲＬＣレイヤのＰＤＵパケットヘッダーの中の少なくとも一つを含む前記ＲＬＣデータ同期情報と、スケジューリングやリソース割り当て情報、ＭＡＣレイヤパケットヘッダー、ＭＡＣレイヤの制御要素と、ＭＡＣレイヤのパケットヘッダー中のサブパケットヘッダーとＭＡＣ  ＳＤＵの番号との対応関係の中の少なくとも一つを含む前記ＭＡＣレイヤのデータ同期情報と、中の少なくとも一つを含むことが好ましい。
【００２２】
前記ＰＤＣＰ／ＲＬＣ／ＭＡＣレイヤが、ＭＡＣレイヤのＰＤＵが同一であるようにデータ同期し、前記主ＴＰがＭＡＣレイヤのＰＤＵを前記従属ＴＰに送信するパケット転送方式によって実現することが好ましい。
【００２３】
前記ＰＤＣＰレイヤのデータ同期は、前記従属ＴＰと前記主ＴＰがまずＰＤＣＰレイヤの同期を実現し、その後、ＲＬＣ／ＭＡＣレイヤのデータ同期を行うことを含むことが好ましい。
【００２４】
ＰＤＣＰレイヤの同期を行った後、前記主ＴＰがシグナルを介して、前記従属ＴＰにＲＬＣ／ＭＡＣレイヤのデータ同期を行うことを通知することが好ましい。
【００２５】
前記ＰＤＣＰレイヤのデータ同期が、前記主ＴＰがノードに、データパケットを前記従属ＴＰに送信することを指示することと、前記主ＴＰが前記従属ＴＰに、ノードからのデータを受信することを指示することと、前記主ＴＰが前記従属ＴＰに、ノードにデータ要求を送信することを指示し、前記従属ＴＰがノードにデータ送信要求を送信し、ノードが前記従属ＴＰにデータを送信することの中の少なくとも一つを含むことが好ましい。
【００２６】
前記主ＴＰがノードにデータパケットを前記従属ＴＰに送信することを指示する場合、前記主ＴＰが前記従属ＴＰのマーク情報をノードに送信し、前記主ＴＰが前記従属ＴＰにノードからのデータを受信することを指示する場合、前記主ＴＰが前記データパケットのマーク情報を前記従属ＴＰに送信し、前記主ＴＰが前記従属ＴＰにノードにデータ要求を送信することを指示し、前記従属ＴＰがノードにデータ送信要求を送信し、ノードが前記従属ＴＰにデータを送信する場合、前記従属ＴＰが要求したデータパケットのマーク情報を前記ノードに送信することが好ましい。
【００２７】
前記主ＴＰがノードにデータパケットを前記従属ＴＰに送信することを指示する場合、前記従属ＴＰが、前記ノードからのデータパケットに前記従属ＴＰに対応するマーク情報が含まれているか否かを検出することが好ましい。
【００２８】
前記データパケットのマーク情報が、仮想セルマーク、接続マーク、ユーザ機器マークの中の少なくとも一つを含むことが好ましい。
【００２９】
前記ノードが、ゲートウェイ又はＴＰであることが好ましい。
【００３０】
前記ＴＰが、マクロ基地局、スモール基地局、ＲＲＨ、マイクロ基地局の中の少なくとも一つを含むことが好ましい。
【００３１】
本発明の他の一態様によると、従属トランスポートポイントＴＰが、主ＴＰから送信されたシグナル及び／又は転送パケットを受信することと、シグナル及び／又は転送パケットを受信することで前記主ＴＰと下りデータ同期を実現することと、を含み、ここで、Ｍ個の従属ＴＰと主ＴＰとはパケットデータコンバージェンスプロトコルＰＤＣＰレイヤでデータ同期を実現し、Ｎ（Ｍ≧０、Ｎ≧０、Ｍ＋Ｎ≧１）個の従属ＴＰと主ＴＰとはＰＤＣＰ／無線リンク制御ＲＬＣ／媒体アクセス制御ＭＡＣレイヤでデータ同期を実現するデータ同期処理方法を提供する。
【００３２】
前記ＰＤＣＰレイヤが、従属ＴＰと主ＴＰのＰＤＣＰレイヤのプロトコルデータユニットＰＤＵが同一であるようにデータ同期することが好ましい。
【００３３】
前記従属ＴＰが前記主ＴＰから送信された前記ＰＤＣＰレイヤの前記ＰＤＵを受信することを含むデータパケットを転送する方式と、前記従属ＴＰが前記主ＴＰから送信された前記ＰＤＣＰレイヤのデータ同期情報を受信し、前記従属ＴＰが前記データ同期情報に従ってＰＤＣＰレイヤのＳＤＵにパッケージングを行ってＰＤＣＰレイヤのＰＤＵを形成することを含むシグナル方式との中の少なくとも一つで前記ＰＤＣＰレイヤのデータ同期を行うことが好ましい。
【００３４】
前記ＰＤＣＰレイヤのデータ同期情報が、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むことが好ましい。
【００３５】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期することが好ましい。
【００３６】
前記従属ＴＰが前記主ＴＰから送信されたＰＤＣＰレイヤ、ＲＬＣレイヤ、ＭＡＣレイヤデータのデータ同期情報を受信し、前記従属ＴＰが前記ＰＤＣＰレイヤ、ＲＬＣレイヤ、ＭＡＣレイヤの前記データ同期情報に基づいてＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成することを含むシグナル方式と、前記従属ＴＰが前記主ＴＰから伝送されたＰＤＣＰレイヤのＰＤＵとＲＬＣ／ＭＡＣレイヤのデータ同期情報を受信し、前記従属ＴＰが前記データ同期情報に基づいて、ＲＬＣ及びＭＡＣレイヤのＰＤＵを形成すること又は前記従属ＴＰが前記主ＴＰから送信されたＰＤＣＰレイヤのＳＤＵとＰＤＣＰ／ＲＬＣ／ＭＡＣレイヤのデータ同期情報を受信し、前記データ同期情報に基づいてＰＤＣＰ、ＲＬＣ、ＭＡＣレイヤのＰＤＵを形成することを含むシグナルにパケットを追加して転送する方式の中の少なくとも一つで前記従属ＴＰと前記主ＴＰのＰＤＣＰ、ＲＬＣ、ＭＡＣレイヤのＰＤＵの同一を実現することが好ましい。
【００３７】
ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む前記ＰＤＣＰレイヤのデータ同期情報と、ＲＬＣ送信バッファー状態、ＲＬＣレイヤのＰＤＵパケットヘッダーの中の少なくとも一つを含む前記ＲＬＣデータ同期情報と、スケジューリングやリソース割り当て情報、ＭＡＣレイヤパケットヘッダー、ＭＡＣレイヤ制御要素と、ＭＡＣレイヤのパケットヘッダー中のサブパケットヘッダーとＭＡＣ  ＳＤＵの番号との対応関係の中の少なくとも一つを含む前記ＭＡＣレイヤのデータ同期情報と、の中の少なくとも一つを含むことが好ましい。
【００３８】
前記ＰＤＣＰ／ＲＬＣ／ＭＡＣレイヤが、ＭＡＣレイヤのＰＤＵが同一であるようにデータ同期し、前記従属ＴＰが前記主ＴＰから送信されたＭＡＣレイヤのＰＤＵを受信することを含むパケット転送方式で実現することが好ましい。
【００３９】
前記ＰＤＣＰレイヤのデータ同期が、前記従属ＴＰと前記主ＴＰとがまずＰＤＣＰレイヤの同期を行って、その後、ＲＬＣ／ＭＡＣレイヤのデータ同期を行うことが好ましい。
【００４０】
ＰＤＣＰレイヤの同期を行った後、前記従属ＴＰが、前記主ＴＰのシグナルによってＲＬＣ／ＭＡＣレイヤのデータ同期を行うことを通知することが好ましい。
【００４１】
前記ＰＤＣＰレイヤのデータ同期は、前記主ＴＰがノードに、データパケットを前記従属ＴＰに送信することを指示することと、前記主ＴＰが前記従属ＴＰに、ノードからのデータを受信することを指示することと、前記主ＴＰが前記従属ＴＰに、ノードにデータ要求を送信することを指示し、前記従属ＴＰがノードにデータ送信要求を送信し、ノードが前記従属ＴＰにデータを送信することの中の少なくとも一つを含むことが好ましい。
【００４２】
前記従属ＴＰがノードからのデータパケットに自体に対応するマーク情報が含まれているか否かを検出し、前記従属ＴＰが前記主ＴＰの指示に応じて、ノードからのデータを受信し、前記従属ＴＰが前記主ＴＰの指示に応じて、ノードにデータ送信要求を送信し、また、ノードから送信されたデータを受信することが好ましい。
【００４３】
前記従属ＴＰが前記主ＴＰの指示に応じて、ノードからのデータを受信する場合、前記従属ＴＰが前記主ＴＰから送信されたデータパケットのマーク情報に基づいてデータパケットを受信し、前記従属ＴＰが前記主ＴＰの指示に応じて、ノードにデータ送信要求を送信する場合、前記従属ＴＰがデータパケットのマーク情報をノードに送信することが好ましい。
【００４４】
前記データパケットのマーク情報が、仮想セルマーク、接続マーク、ユーザ機器マークの中の少なくとも一つを含むことが好ましい。
【００４５】
前記ノードがゲートウェイ又はＴＰであることが好ましい。
【００４６】
前記ＴＰが、マクロ基地局、スモール基地局、ＲＲＨ、マイクロ基地局の中の少なくとも一つを含むことが好ましい。
【００４７】
本発明の他の一態様によると、主トランスポートポイントＴＰに位置するデータ同期処理装置であって、Ｍ＋Ｎ個（Ｍ≧０、Ｎ≧０、Ｍ＋Ｎ≧１）の従属ＴＰにシグナル及び／又は転送パケットを送信するように構成される送信手段と、シグナル及び／又は転送パケットを送信することで前記従属ＴＰと下りデータ同期を行うように構成される第１の同期手段と、を含み、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理装置を提供する。
【００４８】
本発明の他の一態様によると、従属トランスポートポイントＴＰに位置するデータ同期処理装置であって、主ＴＰから送信されたシグナル及び／又は転送パケットを受信するように構成される受信手段と、シグナル及び／又は転送パケットを受信することで前記主ＴＰと下りデータ同期を行う第２の同期手段と、を含み、Ｍ個の従属ＴＰと主ＴＰとはパケットデータコンバージェンスプロトコルＰＤＣＰレイヤでデータ同期を行い、Ｎ個（Ｍ≧０、Ｎ≧０、Ｍ＋Ｎ≧１）の従属ＴＰと主ＴＰとはＰＤＣＰ／無線リンク制御ＲＬＣ／媒体アクセス制御ＭＡＣレイヤでデータ同期を行うデータ同期処理装置を提供する。
【００４９】
本発明によると、Ｍ＋Ｎ個（Ｍ≧０、Ｎ≧０、Ｍ＋Ｎ≧１）の従属ＴＰにシグナル及び／又は転送パケットを送信し、シグナル及び／又は転送パケットを送信することで前記従属ＴＰと下りデータ同期を行い、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うことで、既存技術において如何にセル仮想化効果を保証しつつデータ同期のオーバーヘッドを制御するかの問題を解決し、セル仮想化の需要に応じてデータ同期を実現するレイヤ数を柔軟に調節して制御し、セル仮想化効果を保証しつつデータ同期のオーバーヘッド及び実現複雑度を制御する効果を実現できる。
【図面の簡単な説明】
【００５０】
ここで説明する図面は本発明を一層理解させるためのもので、本願の一部を構成し、本発明に示す実施例及びその説明は本発明を解釈するもので、本発明を限定するものではない。
【図１】既存技術における仮想セルを示す図である。
【図２】既存技術におけるユーザプレーンのプロトコルスタックを示す図である。
【図３】既存技術におけるＳＤＵ／ＰＤＵ関係を示す図である。
【図４】本発明の実施例に係る第１のデータ同期処理方法を示すフローチャートである。
【図５】本発明の実施例に係る第２のデータ同期処理方法を示すフローチャートである。
【図６】本発明の実施例に係る第１のデータ同期処理装置の構造を示すブロック図である。
【図７】本発明の実施例に係る第２のデータ同期処理装置の構造を示すブロック図である。
【図８】本発明の実施例に係るトランスポートポイントが有線ｂａｃｋｈａｕｌを介して仮想セルのデータを取得することを示す図である。
【図９】本発明の実施例に係るデータパケット番号の割り当て方法を示す図である。
【図１０】本発明の実施例に係るトランスポートポイントがＰＤＣＰレイヤのパケット転送方式で仮想セルのデータを取得してデータ同期を実現することを示す図である。
【図１１】本発明の実施例に係るトランスポートポイントが有線ｂａｃｋｈａｕｌを介して仮想セルのデータを取得し、ＰＤＣＰ／ＲＬＣ／ＭＡＣ同期情報を用いてデータ同期を実現することを示す図である。
【図１２】本発明の実施例に係るトランスポートポイントがＭＡＣレイヤのパケット転送方式で仮想セルのデータを取得してデータ同期を実現することを示す図である。
【発明を実施するための形態】
【００５１】
以下、図面を参照して実施例を結合して本発明を詳しく説明する。尚、矛盾しない限り、本願の実施例及び実施例中の特徴は組み合わせすることができる。
【００５２】
本実施例においてデータ同期処理方法を提供し、図４は本発明の実施例に係る第１のデータ同期処理方法を示すフローチャートで、図４に示すように、該方法はステップＳ４０２〜ステップＳ４０４を含む。
【００５３】
ステップＳ４０２において、主トランスポートポイントＴＰがＭ＋Ｎ個の従属ＴＰにシグナル及び／又は転送パケットを送信する。
【００５４】
ステップＳ４０４において、シグナル及び／又は転送パケットを送信することで、従属ＴＰと下りデータ同期を行い、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行い、ここでＭ≧０、Ｎ≧０、Ｍ＋Ｎ≧１である。
【００５５】
上記ステップによると、シグナル及び／又は転送パケットを送信する方式で、Ｍ個の従属ＴＰと主ＴＰとがパケットデータコンバージェンスプロトコルＰＤＣＰレイヤでデータ同期を行い、Ｎ個の従属ＴＰと主ＴＰとがＰＤＣＰ／無線リンク制御ＲＬＣ／媒体アクセス制御ＭＡＣレイヤでデータ同期を行って、ネットワークの干渉問題に応じて、データ同期するレイヤ数を確定して、既存技術において如何にセル仮想化効果を保証しつつデータ同期のオーバーヘッドを制御するかの問題を解決し、セル仮想化の需要に応じてデータ同期を実現するレイヤ数を柔軟に調節して制御し、セル仮想化効果を保証した上、データ同期のオーバーヘッドを制御できる。
【００５６】
図５は本発明の実施例に係る第２のデータ同期処理方法を示すフローチャートで、図５に示すように、該方法はステップＳ５０２〜ステップＳ５０４を含む。
【００５７】
ステップＳ５０２において、従属トランスポートポイントＴＰが、主ＴＰから送信されたシグナル及び／又は転送パケットを受信する。
【００５８】
ステップＳ５０４において、シグナル及び／又は転送パケットを受信することで、主ＴＰと下りデータ同期を行い、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行い、Ｍ≧０、Ｎ≧０、Ｍ＋Ｎ≧１である。
【００５９】
上記ステップによると、シグナル及び／又は転送パケットを送信する方式で、Ｍ個の従属ＴＰと主ＴＰとがパケットデータコンバージェンスプロトコルＰＤＣＰレイヤでデータ同期を行い、Ｎ個の従属ＴＰと主ＴＰとがＰＤＣＰ／無線リンク制御ＲＬＣ／媒体アクセス制御ＭＡＣレイヤでデータ同期を行って、ネットワークの干渉問題に応じて、データ同期するレイヤ数を確定し、既存技術においてデータ同期を行う際にオーバーヘッドが大きい問題を解決し、データ同期を行う際のオーバーヘッドを有効に低減する効果を実現できる。
【００６０】
本実施例において更にデータ同期処理装置を提供し、該装置は上記実施例及び好適な実施形態を実現するものであって、既に説明した部分の説明は省略する。以下の説明で利用される用語「手段」は所定の機能を実現することのできるソフトウェア及び／又はハードウェアの組み合わせである。以下の実施例で説明する装置をソフトウェアで実現することが好ましいが、ハードウェア又はソフトウェアとハードウェアの組み合わせで実現することも可能である。
【００６１】
図６は本発明の実施例に係る第１のデータ同期処理装置の構造を示すブロック図で、図６に示すように、該装置は主トランスポートポイントＴＰに位置し、送信手段６２と、第１の同期手段６４とを含む。
【００６２】
送信手段６２は、Ｍ＋Ｎ個の従属ＴＰにシグナル及び／又は転送パケットを送信するように構成され、第１の同期手段６４は、上記送信手段６２に接続されて、シグナル及び／又は転送パケットを送信することで従属ＴＰと下りデータ同期を行うように構成され、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行って、Ｍ≧０、Ｎ≧０、Ｍ＋Ｎ≧１である。
【００６３】
図７は本発明の実施例に係る第２のデータ同期処理装置の構造を示すブロック図で、図７に示すように、該装置は従属トランスポートポイントＴＰに位置し、受信手段７２と第２の同期手段７４とを含む。
【００６４】
受信手段７２は、主ＴＰから送信されたシグナル及び／又は転送パケットを受信するように構成され、第２の同期手段７４は、上記受信手段７２に接続されて、シグナル及び／又は転送パケットを受信することで主ＴＰと下りデータ同期を行うように構成され、ここで、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行って、Ｍ≧０、Ｎ≧０、Ｍ＋Ｎ≧１である。
【００６５】
上記実施例及び好適な実施形態によってセル仮想化中のＴＰ間のデータ同期を行う方案を提供する。セル仮想化の需要に応じて、データ同期を実現するレイヤ数を柔軟に調節して制御することで、セル仮想化効果を保証した上、データ同期のオーバーヘッド及び実現複雑度を制御できる。
【００６６】
以下、上記方案を説明する。
【００６７】
主トランスポートポイントと従属トランスポートポイントを結合して説明する。
【００６８】
該方法は、Ｍ＋Ｎ＋１個のＴＰが端末の下りデータを有し、下りデータ同期を行う。一つのＭａｓｔｅｒ（主）ＴＰと、Ｍ＋Ｎ個のｓｌａｖｅ  ＴＰを含む。Ｓｌａｖｅスレーブ  ＴＰにおいて、Ｍ個のｓｌａｖｅ  ＴＰとｍａｓｔｅｒ  ＴＰとがＰＤＣＰレイヤでデータ同期を行って、Ｎ個のｓｌａｖｅ  ＴＰとｍａｓｔｅｒ  ＴＰとがＰＤＣＰ／ＲＬＣ／ＭＡＣレイヤでデータ同期を行う。ここで、Ｍ≧０、Ｎ≧０、Ｍ＋Ｎ≧１である。
【００６９】
ここで、ＰＤＣＰレイヤのデータ同期とは、ｓｌａｖｅ  ＴＰとｍａｓｔｅｒ  ＴＰのＰＤＣＰレイヤのＰＤＵが同一であることを指す。
【００７０】
ＰＤＣＰレイヤのデータ同期を行う方式はさまざまで、例えば、ＰＤＣＰレイヤのデータ同期をデータパケットを転送する方式で実現することができ、ｍａｓｔｅｒ  ＴＰがＰＤＣＰレイヤのＰＤＵをｓｌａｖｅ  ＴＰに送信することを含む。ＰＤＣＰレイヤのデータ同期をシグナル方式で実現することもでき、ｍａｓｔｅｒ  ＴＰがＰＤＣＰレイヤのデータ同期情報をｓｌａｖｅ  ＴＰに送信し、ｓｌａｖｅ  ＴＰがデータ同期情報に基づいて、ＰＤＣＰレイヤのＳＤＵにパッケージングを行ってＰＤＣＰレイヤのＰＤＵを形成することを含む。
【００７１】
ここで、ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。
【００７２】
ＰＤＣＰ／ＲＬＣ／ＭＡＣレイヤのデータ同期とは、ｓｌａｖｅ  ＴＰとｍａｓｔｅｒ  ＴＰのＰＤＣＰ、ＲＬＣ、ＭＡＣレイヤのＰＤＵが同一である、又はＭＡＣレイヤのＰＤＵが同一であることを指す。
【００７３】
ＰＤＣＰ／ＲＬＣ／ＭＡＣレイヤがデータ同期を行う方式もさまざまで、例えば、ＰＤＣＰ／ＲＬＣ／ＭＡＣレイヤがＰＤＣＰ、ＲＬＣ、ＭＡＣレイヤのＰＤＵが同一であるようにデータ同期することはシグナル方式で実現することができ、具体的には、ｍａｓｔｅｒ  ＴＰがＰＤＣＰレイヤ、ＲＬＣレイヤ、ＭＡＣレイヤのデータのデータ同期情報をｓｌａｖｅ  ＴＰに送信する。ｓｌａｖｅ  ＴＰがＰＤＣＰレイヤ、ＲＬＣレイヤ、ＭＡＣレイヤのデータ同期情報に基づいてＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成することを含む。
【００７４】
ＰＤＣＰ／ＲＬＣ／ＭＡＣレイヤがＰＤＣＰ、ＲＬＣ、ＭＡＣレイヤのＰＤＵが同一であるようにデータ同期することはシグナルにパケットを追加して転送する方式で実現することもでき、ｍａｓｔｅｒ  ＴＰがＰＤＣＰレイヤのＰＤＵをｓｌａｖｅ  ＴＰに伝送し、ＲＬＣ／ＭＡＣレイヤのデータ同期情報をｓｌａｖｅ  ＴＰに送信し、ｓｌａｖｅ  ＴＰがデータ同期情報に基づいてＲＬＣ及びＭＡＣレイヤのＰＤＵを形成すること、又は、ｍａｓｔｅｒ  ＴＰがＰＤＣＰレイヤのＳＤＵをｓｌａｖｅ  ＴＰに送信し、ＰＤＣＰ／ＲＬＣ／ＭＡＣレイヤのデータ同期情報をｓｌａｖｅ  ＴＰに送信し、ｓｌａｖｅ  ＴＰがデータ同期情報に基づいてＰＤＣＰ、ＲＬＣ、ＭＡＣレイヤのＰＤＵを形成することを含む。
【００７５】
ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。
【００７６】
ＲＬＣデータ同期情報は、ＲＬＣ送信バッファー状態、ＲＬＣレイヤのＰＤＵパケットヘッダーの中の少なくとも一つを含むが、これらに限定されることはない。
【００７７】
ＭＡＣレイヤのデータ同期情報は、スケジューリングやリソース割り当て情報（例えば、リソースの時間や周波数位置、使用した変調符号化方式、冗長バージョン情報等、プロセス番号、プリコーディング情報）、ＭＡＣレイヤパケットヘッダー、ＭＡＣレイヤ制御要素（ＭＡＣ  ＣＥ、ＭＡＣ  ｃｏｎｔｒｏｌ  ｅｌｅｍｅｎｔ）、ＭＡＣレイヤパケットヘッダー中のサブパケットヘッダーとＭＡＣ  ＳＤＵ（即ち、ＲＬＣ  ＰＤＵ）の番号との対応関係の中の少なくとも一つを含むが、これらに限定されることはない。
【００７８】
ＰＤＣＰ／ＲＬＣ／ＭＡＣレイヤがＭＡＣレイヤのＰＤＵが同一であるようにデータ同期することはパケットを転送する方式で実現することができ、具体的に、ｍａｓｔｅｒ  ＴＰがＭＡＣレイヤのＰＤＵをｓｌａｖｅ  ＴＰに送信することを含む。
【００７９】
ＰＤＣＰ／ＲＬＣ／ＭＡＣレイヤのデータ同期は、Ｓｌａｖｅ  ＴＰとｍａｓｔｅｒ  ＴＰがまずＰＤＣＰレイヤの同期を行って、その後、ＲＬＣ／ＭＡＣレイヤのデータ同期を行うことを含む。
【００８０】
尚、ＰＤＣＰレイヤの同期を行った後、ｍａｓｔｅｒ  ＴＰがシグナルを介して、ｓｌａｖｅ  ＴＰにＲＬＣ／ＭＡＣレイヤのデータ同期を行うことを通知する。
【００８１】
そして、上記ＴＰはｅＮＢ、ｐｉｃｏ、ＲＲＨ、ｆｅｍｔｏを含むが、これらに限定されることはない。
【００８２】
主ＴＰと従属ＴＰとの間で同期したデータを伝送する方式もさまざまで、例えば、ｍａｓｔｅｒ  ＴＰがノードにデータパケットをｓｌａｖｅ  ＴＰに送信することを指示する方式、又は、ｍａｓｔｅｒ  ＴＰがｓｌａｖｅ  ＴＰにノードからのデータを受信することを指示する方式、又は、ｍａｓｔｅｒ  ＴＰがｓｌａｖｅ  ＴＰにノードにデータ要求を送信し、ｓｌａｖｅ  ＴＰがノードにデータ送信要求を送信し、ノードがｓｌａｖｅ  ＴＰにデータを送信する方式であることができる。
【００８３】
ここで、ｍａｓｔｅｒ  ＴＰがノードに端末のデータを他のｓｌａｖｅ  ＴＰに送信することを指示する場合、ｓｌａｖｅ  ＴＰのマーク情報をノードに送信し、ここで、ｓｌａｖｅ  ＴＰはノードからのデータパケットに自体に対応するマーク情報が含まれたか否かを検出する。ｍａｓｔｅｒ  ＴＰがｓｌａｖｅ  ＴＰにノードからのデータを受信することを指示する場合、データパケットの関連マーク情報をｓｌａｖｅ  ＴＰに送信し、ここで、「データパケットの関連マーク情報」は、仮想セルマーク、接続マーク、端末マークの中の少なくとも一つである。ｍａｓｔｅｒ  ＴＰがｓｌａｖｅ  ＴＰに指示し、ｓｌａｖｅ  ＴＰがノードにデータ送信要求を送信する場合、ｓｌａｖｅ  ＴＰが要求したデータパケットに関連するマーク情報をノードに送信し、ここで、「データパケットに関連するマーク情報」は仮想セルマーク、接続マーク、端末マークの中の少なくとも一つである。
【００８４】
そして、上記ノードはゲートウェイ又はトランスポートポイントである。
【００８５】
データ同期に用いられる主ＴＰに基づいて、該データ同期方案を説明する。
【００８６】
ｍａｓｔｅｒ  ＴＰが、シグナル及び／又はパケットを伝送する方式で、Ｍ個のｓｌａｖｅ  ＴＰとＰＤＣＰレイヤの下りデータ同期を実現し、Ｎ個のｓｌａｖｅ  ＴＰとＰＤＣＰ／ＲＬＣ／ＭＡＣレイヤの下りデータ同期を実現する。ここで、Ｍ≧０、Ｎ≧０、Ｍ＋Ｎ≧１である。
【００８７】
ＰＤＣＰレイヤのデータ同期とは、ｓｌａｖｅ  ＴＰとｍａｓｔｅｒ  ＴＰのＰＤＣＰレイヤのＰＤＵが同一であることを指す。
【００８８】
対応して、ＰＤＣＰレイヤのデータ同期はさまざまな方式で実現することができ、例えば、データパケットを転送する方式で実現することができ、具体的には、ｍａｓｔｅｒ  ＴＰがＰＤＣＰレイヤのＰＤＵをｓｌａｖｅ  ＴＰ送信することを含み、また、例えばＰＤＣＰレイヤのデータ同期をシグナル方式で実現することもでき、具体的には、ｍａｓｔｅｒ  ＴＰがＰＤＣＰレイヤのデータ同期情報をｓｌａｖｅ  ＴＰに送信することを含む。
【００８９】
ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。
【００９０】
ＰＤＣＰ／ＲＬＣ／ＭＡＣレイヤのデータ同期とは、ｓｌａｖｅ  ＴＰとｍａｓｔｅｒ  ＴＰのＰＤＣＰ、ＲＬＣ、ＭＡＣレイヤのＰＤＵが同一である、又はＭＡＣレイヤのＰＤＵが同一であることを指す。同様に、該ＰＤＣＰ／ＲＬＣ／ＭＡＣレイヤのデータ同期もさまざまな方式で実現することができ、以下例をあげて説明する。
【００９１】
例えば、ＰＤＣＰ／ＲＬＣ／ＭＡＣレイヤがＰＤＣＰ、ＲＬＣ、ＭＡＣレイヤのＰＤＵが同一であるようにデータ同期することは、シグナル方式で実現することができ、ｍａｓｔｅｒ  ＴＰがＰＤＣＰレイヤ、ＲＬＣレイヤ、ＭＡＣレイヤのデータ同期情報をｓｌａｖｅ  ＴＰに送信することを含む。また、例えば、ＰＤＣＰ／ＲＬＣ／ＭＡＣレイヤがＰＤＣＰ、ＲＬＣ、ＭＡＣレイヤのＰＤＵが同一であるようにデータ同期することはシグナルにパケットを追加して転送する方式で実現することができ、ｍａｓｔｅｒ  ＴＰがＰＤＣＰレイヤのＰＤＵをｓｌａｖｅ  ＴＰに伝送し、ＲＬＣ／ＭＡＣレイヤのデータ同期情報をｓｌａｖｅ  ＴＰに送信すること、又は、ｍａｓｔｅｒ  ＴＰがＰＤＣＰレイヤのＳＤＵをｓｌａｖｅ  ＴＰに送信し、ＰＤＣＰ／ＲＬＣ／ＭＡＣレイヤのデータ同期情報をｓｌａｖｅ  ＴＰに送信することを含む。
【００９２】
ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。
【００９３】
ＲＬＣデータ同期情報は、ＲＬＣ送信バッファー状態、ＲＬＣレイヤのＰＤＵパケットヘッダーの中の少なくとも一つを含むが、これらに限定されることはない。
【００９４】
ＭＡＣレイヤのデータ同期情報は、スケジューリングやリソース割り当て情報（例えば、リソースの時間や周波数位置、使用した変調符号化方式、冗長バージョン情報等、プロセス番号、プリコーディング情報）、ＭＡＣレイヤパケットヘッダー、ＭＡＣレイヤ制御要素（ＭＡＣ  ＣＥ、ＭＡＣ  ｃｏｎｔｒｏｌ  ｅｌｅｍｅｎｔ）、ＭＡＣレイヤパケットヘッダー中のサブパケットヘッダーとＭＡＣ  ＳＤＵ（即ち、ＲＬＣ  ＰＤＵ）の番号との対応関係の中の少なくとも一つを含むが、これらに限定されることはない。
【００９５】
ＰＤＣＰ／ＲＬＣ／ＭＡＣレイヤが、ＭＡＣレイヤのＰＤＵが同一であるようにデータ同期することは、パケットを転送する方式で実現することができ、具体的に、ｍａｓｔｅｒ  ＴＰがＭＡＣレイヤのＰＤＵをｓｌａｖｅ  ＴＰに送信することを含む。
【００９６】
ＰＤＣＰ／ＲＬＣ／ＭＡＣレイヤのデータ同期は具体的に、Ｓｌａｖｅ  ＴＰとｍａｓｔｅｒ  ＴＰがまずＰＤＣＰレイヤの同期を行って、その後ＲＬＣ／ＭＡＣレイヤのデータ同期を行う。
【００９７】
ＰＤＣＰレイヤの同期を行った後、ｍａｓｔｅｒ  ＴＰがシグナルを介して、ｓｌａｖｅ  ＴＰにＲＬＣ／ＭＡＣレイヤのデータ同期を行うことを通知する。
【００９８】
ＴＰはｅＮＢ、ｐｉｃｏ、ＲＲＨ、ｆｅｍｔｏを含むがこれらに限定されることはない。
【００９９】
ｍａｓｔｅｒ  ＴＰがノードに端末のデータを他のｓｌａｖｅ  ＴＰに送信することを指示し、又はｍａｓｔｅｒ  ＴＰがｓｌａｖｅ  ＴＰにノードからのデータを受信することを指示し、又はｍａｓｔｅｒ  ＴＰがｓｌａｖｅ  ＴＰにノードにデータ要求を送信することを指示する。
【０１００】
ｍａｓｔｅｒ  ＴＰがノードに端末のデータを他のｓｌａｖｅ  ＴＰに送信することを指示する場合、ｍａｓｔｅｒ  ＴＰはｓｌａｖｅ  ＴＰのマーク情報をノードに送信する。ｍａｓｔｅｒ  ＴＰがｓｌａｖｅ  ＴＰにノードからのデータを受信することを指示する場合、ｍａｓｔｅｒ  ＴＰはデータパケットの関連マーク情報をｓｌａｖｅ  ＴＰに送信する。
【０１０１】
ここで、上記「データパケットの関連マーク情報」は、仮想セルマーク、接続マーク、端末マークの中の少なくとも一つであることができる。
【０１０２】
ノードは、ゲートウェイ又はトランスポートポイントである。
【０１０３】
データ同期に用いられる従属ＴＰに基づいて、該データ同期方案を説明する。
【０１０４】
Ｍ＋Ｎ個のｓｌａｖｅ  ＴＰが、ｍａｓｔｅｒ  ＴＰから送信されたシグナル及び／又はｍａｓｔｅｒ  ＴＰから伝送されたパケットを受信することで、ｍａｓｔｅｒ  ＴＰと下りデータ同期を実現する。ここで、Ｍ個のｓｌａｖｅ  ＴＰがｍａｓｔｅｒ  ＴＰとＰＤＣＰレイヤのデータ同期を実現し、Ｎ個のｓｌａｖｅ  ＴＰがｍａｓｔｅｒ  ＴＰとＰＤＣＰ／ＲＬＣ／ＭＡＣレイヤのデータ同期を実現する。ここで、Ｍ≧０、Ｎ≧０、Ｍ＋Ｎ≧１である。
【０１０５】
ＰＤＣＰレイヤのデータ同期とは、ｓｌａｖｅ  ＴＰとｍａｓｔｅｒ  ＴＰのＰＤＣＰレイヤのＰＤＵが同一であることを指す。対応して、ＰＤＣＰレイヤのデータ同期はさまざまな方式で実現することができ、例えば、ＰＤＣＰレイヤのデータ同期をデータパケットを転送する方式で実現することができ、具体的に、ｓｌａｖｅ  ＴＰがｍａｓｔｅｒ  ＴＰから送信されたＰＤＣＰレイヤのＰＤＵを送信することを含む。また、例えば、ＰＤＣＰレイヤのデータ同期をシグナル方式で実現することもでき、具体的に、ｓｌａｖｅ  ＴＰがｍａｓｔｅｒ  ＴＰから送信されたデータ同期情報に関連するシグナルを受信し、データ同期情報に基づいて、ＰＤＣＰレイヤのＳＤＵにパッケージングを行ってＰＤＣＰレイヤのＰＤＵを形成することを含む。
【０１０６】
ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。ＰＤＣＰ／ＲＬＣ／ＭＡＣレイヤのデータ同期とは、ｓｌａｖｅ  ＴＰとｍａｓｔｅｒ  ＴＰのＰＤＣＰ、ＲＬＣ、ＭＡＣレイヤのＰＤＵが同一である、又はＭＡＣレイヤのＰＤＵが同一であることを指す。ＰＤＣＰ／ＲＬＣ／ＭＡＣレイヤがＰＤＣＰ、ＲＬＣ、ＭＡＣレイヤのＰＤＵが同一であるようにデータ同期することはシグナル方式で実現することができ、具体的に、ｓｌａｖｅ  ＴＰがｍａｓｔｅｒ  ＴＰから送信されたＰＤＣＰレイヤ、ＲＬＣレイヤ、ＭＡＣレイヤのデータ同期情報を受信し、データ同期情報に基づいてＰＤＣＰレイヤ、ＲＬＣレイヤ、ＭＡＣレイヤのＰＤＵを形成することを含む。
【０１０７】
ＰＤＣＰ／ＲＬＣ／ＭＡＣレイヤがＰＤＣＰ、ＲＬＣ、ＭＡＣレイヤのＰＤＵが同一であるようにデータ同期することはシグナルにパケットを追加して転送する方式で実現することができ、具体的に、ｓｌａｖｅ  ＴＰがｍａｓｔｅｒ  ＴＰから送信されたＰＤＣＰレイヤのＰＤＵ及びＲＬＣ／ＭＡＣレイヤのデータ同期情報を受信し、データ同期情報に基づいてＲＬＣ及びＭＡＣレイヤのＰＤＵを形成することを含む。又は、ｓｌａｖｅ  ＴＰがｍａｓｔｅｒ  ＴＰから送信されたＰＤＣＰレイヤのＳＤＵ及びＰＤＣＰ／ＲＬＣ／ＭＡＣレイヤのデータ同期情報を受信し、データ同期情報に基づいて、ＰＤＣＰ、ＲＬＣ、ＭＡＣレイヤのＰＤＵを形成することを含む。
【０１０８】
ＰＤＣＰレイヤのデータ同期情報は、ヘッダー圧縮情報、暗号化情報、ＰＤＣＰレイヤパケットヘッダー、ＰＤＣＰデータパケット番号、スーパーフレーム番号、最大データパケット番号の中の少なくとも一つを含むが、これらに限定されることはない。ＲＬＣデータ同期情報は、ＲＬＣ送信バッファー状態、ＲＬＣレイヤのＰＤＵパケットヘッダーの中の少なくとも一つを含むが、これらに限定されることはない。ＭＡＣレイヤのデータ同期情報は、スケジューリングやリソース割り当て情報（例えば、リソースの時間や周波数位置、使用した変調符号化方式、冗長バージョン情報等、プロセス番号、プリコーディング情報）、ＭＡＣレイヤパケットヘッダー；ＭＡＣレイヤ制御要素（ＭＡＣ  ＣＥ、ＭＡＣ  ｃｏｎｔｒｏｌ  ｅｌｅｍｅｎｔ）、ＭＡＣレイヤパケットヘッダー中のサブパケットヘッダーとＭＡＣ  ＳＤＵ（即ち、ＲＬＣ  ＰＤＵ）の番号との対応関係の中の少なくとも一つを含むが、これらに限定されることはない。
【０１０９】
ここで、ＰＤＣＰ／ＲＬＣ／ＭＡＣレイヤがＭＡＣレイヤのＰＤＵが同一であるようにデータ同期することは、パケットを転送する方式で実現することができ、具体的に、ｓｌａｖｅ  ＴＰがｍａｓｔｅｒ  ＴＰから送信されたＭＡＣレイヤのＰＤＵを受信することを含む。
【０１１０】
ＰＤＣＰ／ＲＬＣ／ＭＡＣレイヤのデータ同期は、具体的に、Ｓｌａｖｅ  ＴＰがｍａｓｔｅｒ  ＴＰとまずＰＤＣＰレイヤの同期を行って、その後、ＲＬＣ／ＭＡＣレイヤのデータ同期を行う。
【０１１１】
尚、ＰＤＣＰレイヤの同期を行った後、ｓｌａｖｅ  ＴＰがｍａｓｔｅｒ  ＴＰのシグナルによって、ＲＬＣ／ＭＡＣレイヤのデータ同期を行うことを通知する。ここで、上記ＴＰはｅＮＢ、ｐｉｃｏ、ＲＲＨ、ｆｅｍｔｏを含むがこれらに限定されることはない。
【０１１２】
データ同期を行う過程において、さまざまな方式を用いることができ、例えば、ｓｌａｖｅ  ＴＰがノードからのデータパケットに自体に対応するマーク情報が含まれたか否かを検出する方式、又は、ｓｌａｖｅ  ＴＰがｍａｓｔｅｒ  ＴＰの指示に応じて、ノードからのデータを受信する方式、又は、ｓｌａｖｅ  ＴＰがｍａｓｔｅｒ  ＴＰの指示に応じて、ノードにデータ送信要求を送信し、ノードから送信されたデータを受信する方式を含む。
【０１１３】
ここで、ｓｌａｖｅ  ＴＰがｍａｓｔｅｒ  ＴＰの指示に応じて、ノードからのデータを受信する場合、ｓｌａｖｅ  ＴＰはｍａｓｔｅｒ  ＴＰから送信されたデータパケットのマーク情報に基づいてデータパケットを受信し、「データパケットの関連マーク情報」は仮想セルマーク、接続マーク、端末マークの中の少なくとも一つを含む。
【０１１４】
ｓｌａｖｅ  ＴＰがｍａｓｔｅｒ  ＴＰの指示に応じて、ノードにデータ送信要求を送信する場合、ｓｌａｖｅ  ＴＰがデータパケットに関連するマーク情報をノードに送信する。対応して、「データパケットに関連するマーク情報」は、仮想セルマーク、接続マーク、端末マークの中の少なくとも一つである。
【０１１５】
ここで、ノードはゲートウェイ又はトランスポートポイントである。
【０１１６】
上記実施例及び好適な実施形態によると、５Ｇ  ＵＤＮネットワークにおいてトランスポートポイント間でデータ同期する問題を解決し、以下のメリットを有する：
仮想セルが面した問題に応じて、トランスポートポイントのデータ同期方式を柔軟に選択して、性能とオーバーヘッド及び同期複雑度との間で良好なバランスを取ることができる。
【０１１７】
ネットワークの干渉が厳重ではない場合、仮想セルは主に端末の移動性問題を解決し、この時、仮想セルのトランスポートポイントはＰＤＣＰレイヤのみでデータ同期を実現すればよい。よって、移動性問題を解決すると共に、ＲＬＣ／ＭＡＣレイヤの同期によるオーバーヘッドを低減できる。
【０１１８】
ネットワークの干渉が厳重である場合、仮想セルは干渉問題を解決しなければならない。この時、仮想セルのトランスポートポイントはＰＤＣＰ／ＲＬＣ／ＭＡＣレイヤで同期を実現して、トランスポートポイント間で信号の結合処理を実現し、良好な干渉抑制効果を実現する。
【０１１９】
移動性問題を解決するためにＰＤＣＰレイヤのデータ同期を行うべきトランスポートポイントの数量と干渉問題を解決するためにＰＤＣＰ／ＲＬＣ／ＭＡＣレイヤのデータ同期を行うトランスポートポイントの数量は異なることができる。一部のノードがＰＤＣＰレイヤのみでデータ同期を実現し、一部のノードが需要（例えば、干渉抑制方面の需要）に応じて、ＰＤＣＰレイヤで同期を実現すると共に、ＲＬＣ／ＭＡＣレイヤでもデータ同期を実現し、又は直接にＭＡＣレイヤのデータ同期を実現する。ＭＡＣレイヤのデータ同期を実現したノードは信号の結合処理に用いられて、干渉問題を解決し、ＰＤＣＰレイヤのデータ同期を実現したトランスポートポイントは移動性問題の解決に用いられる。移動性／干渉問題を解決すると共に、オーバーヘッドを低減する。
【０１２０】
トランスポートポイントの特徴に基づいてデータを選択する方法：トランスポートポイントが直接にゲートウェイからユーザデータを取得することができる場合、シグナルに基づくデータ同期方式を用いることができる。このような方式によると、ｍａｓｔｅｒ  ＴＰが直接にデータパケットを伝送することによるオーバーヘッドを減少する。トランスポートポイントがゲートウェイから直接にユーザデータを取得することができない場合、又はトランスポートポイント間のリンクリソースが豊かである場合、ｍａｓｔｅｒ  ＴＰがデータパケットを伝送することでデータ同期を実現することができる。上記方法によると、ＲＬＣとＭＡＣレイヤのデータ同期を同時に実現する。ＲＬＣレイヤがＭＡＣレイヤのスケジューリングやリソース割り当て状況に応じて、データのパッケージングを行って、システムの動作効率を向上させる。
【０１２１】
そして、上記方法によると、更にトランスポートポイント間のデータ量を減少して、トランスポートポイント間のリンク（アップリンク）リソースの使用を減少する。これにより、アップリンクとアクセスリンク（トランスポートポイントと端末との間のリンク）が周波数リソースを共有する場合、アップリンクとアクセスリンクとの間の干渉を低減できる。
【０１２２】
以下、図面を結合して本発明の実施例を説明する。
【０１２３】
実施例１：
以下、例をあげて仮想セル中のトランスポートポイントがゲートウェイ（又はゲートウェイ）からデータパケットを取得する方法を説明する。
【０１２４】
図８は本発明の実施例に係るトランスポートポイントが有線ｂａｃｋｈａｕｌを介して仮想セルのデータを取得することを示す図で、図８に示すように、トランスポートポイントＴＰ０／ＴＰ１／ＴＰ２（例えば、図８−（Ａ）、図８−（Ｂ））又はトランスポートポイントＴＰ０／ＴＰ１／ＴＰ２／ＴＰ３／ＴＰ４（例えば、図８−（Ｃ）、図８−（Ｄ））により端末の仮想セルを構成し、ｗｉｒｅｄ  ｂａｃｋｈａｕｌを介して、ゲートウェイ（ＧＷ、Ｇａｔｅ  ｗａｙ）からのデータを取得し、その中のＴＰ０はｍａｓｔｅｒ  ＴＰで、ゲートウェイを介してデータを取得することができる。
【０１２５】
図８−（Ａ）の環状ネットワーク構造の場合、ゲートウェイからのデータパケットは各ＴＰからなる「環」に位置する。ＴＰ０は、ゲートウェイからのデータパケットの受信情報をＴＰ間のインターフェースを介してＴＰ１／ＴＰ２に伝送し、これにより、ＴＰ１／ＴＰ２が該仮想セルに属するデータを識別して受信することができる。ＴＰ間のインターフェースは、ｗｉｒｅｌｅｓｓ  ｂａｃｋｈａｕｌ（無線バックホール）又は各ＴＰを接続するｗｉｒｅｄ  ｂａｃｋｈａｕｌ（有線バックホール）によって実現する。データパケットの受信情報はデータパケットのアドレス情報又はマーク情報を含む（但し、これらに限定されることはない）。各ＴＰは該情報を用いて、データパケットが仮想セルがサービングする端末に属されるか否かを識別する。
【０１２６】
図８−（Ｂ）の星状ネットワーク構造の場合、各ＴＰはそれぞれゲートウェイからデータを取得する。ＴＰ０は、ＴＰ１／ＴＰ２の識別情報（例えば、アドレス情報又はＴＰのマーク）をゲートウェイに送信し、その後ゲートウェイが該仮想セルに対応するデータパケットをＴＰ０／ＴＰ１／ＴＰ２に同時に送信する。又は、ＴＰ０がＴＰ１／ＴＰ２にゲートウェイから該仮想セルのデータパケットを取得することを通知した後、ＴＰ１／ＴＰ２がゲートウェイに要求を送信し、ゲートウェイが該仮想セルのデータをＴＰ１／ＴＰ２に送信する。
【０１２７】
図８−（Ｃ）又は図８−（Ｄ）の混合型ネットワーク構造の場合、ゲートウェイに接続されたノードを介してデータを取得することができる。例えば、図８−（Ｃ）のネットワーク構造において、ＴＰ３／ＴＰ４が仮想セルに加入した後、ＴＰ０がＴＰ２を介してデータをＴＰ３／ＴＰ４に送信することができる。図８−（Ｄ）の混合型ネットワーク構造の場合、ＴＰ０がデータパケットのマーク情報をＴＰ３／ＴＰ４に送信することができる。ＴＰ３／ＴＰ４はＴＰ２に接続された環境ネットワークを介してデータパケットを受信することができる。
【０１２８】
以下、例をあげてトランスポートポイントがｗｉｒｅｌｅｓｓ  ｂａｃｋｈａｕｌ中のシグナルを介して、ＰＤＣＰレイヤのデータ同期を実現する方法を説明する。
【０１２９】
ＴＰ０が、ＰＤＣＰレイヤのデータ同期に用いられる配置情報を放送シグナル又は端末専用シグナルの方式で仮想セル中の他のＴＰに送信する。配置情報（ユーザプレーンのＰＤＣＰ  Ｄａｔａ  ＰＤＵを例にする）は、ＰＤＣＰレイヤのパケットヘッダー圧縮配置情報（例えば、採用したパケットヘッダー圧縮アルゴリズム）と、暗号化／復号化の配置情報（例えば、キー）と、ＰＤＣＰレイヤのデータパケットのシリアル番号（ＳＮ）の長さと、データパケットのシリアル番号の同期に関連する情報（シリアル番号の同期方法の記載を参照すること）と、を含む。ＴＰ１／ＴＰ２（又はＴＰ１／ＴＰ２／ＴＰ３／ＴＰ４）は、これらの情報に基づいて、データパケットに暗号化、パケットヘッダー圧縮、ＰＤＵパケットヘッダーの追加等の操作を行って、ＰＤＣＰ  ＰＤＵを形成し、又は、ＴＰ０がパケットヘッダー圧縮配置情報、暗号化／復号化の配置情報、ＰＤＣＰ  ＰＤＵパケットヘッダーをＴＰ１／ＴＰ２（又はＴＰ１／ＴＰ２／ＴＰ３／ＴＰ４）に送信する。ＴＰ１／ＴＰ２（又はＴＰ１／ＴＰ２／ＴＰ３／ＴＰ４）が、ＰＤＣＰ  ＳＤＵに暗号化、パケットヘッダー圧縮を行った後、直接にパケットヘッダーを追加してＰＤＣＰ  ＰＤＵを形成する。
【０１３０】
データパケットが一定時間バッファされた後も伝送されないと、トランスポートポイントはパケット廃棄処理を行って、ＴＣＰレイヤ（Ｔｒａｎｓｐｏｒｔ  Ｃｏｎｔｒｏｌ  Ｐｒｏｔｏｃｏｌ）のデータレートを制御する。当該操作は通常、パケット廃棄タイマー（ＤｉｓｃａｒｄＴｉｍｅｒ）を用いて完成する。即ち、それぞれのデータパケットが達した場合、当該データパケットのＤｉｓｃａｒｄＴｉｍｅｒに初期値をセットする。ＤｉｓｃａｒｄＴｉｍｅｒが逓減し、０になると、伝送ノードが対応するパケットを廃棄する。
【０１３１】
以下、各トランスポートポイントによるパケット廃棄操作での同期を実現することのできる方法を説明する。図９は本発明の実施例に係るデータパケットの番号を割り当てる方法を示す図で、図９に示すように、各達したデータパケットは時間軸上のマーク（ｔａｇ）に対応し、データパケットが異なるＴＰに達する時間が異なっているが、パケット廃棄タイマーはいずれもそれぞれのｔａｇ開始から計時する。例えば、ＴＰ１／ＴＰ２の一番目のパケット廃棄タイマーはいずれもｔａｇ１の位置から計時する。
【０１３２】
シリアル番号の同期方法は、以下を含む：（１）ＴＰ０が一つのデータパケットのシリアル番号を指示すると、全てのＴＰはいずれも該シリアル番号を該データパケットが形成したＰＤＣＰレイヤのＰＤＵに割り当てる。その後、一つのデータパケットを受信するたび、シリアル番号はいずれも自動に逓増する。（２）各達したデータパケットは一つの時間軸上のマークに対応し、各時間軸上のマークは一つのシリアル番号に対応する。図９に示すように、ＴＰ０及びＴＰ１のデータパケット０はそれぞれｔ０とｔ１時刻に達し、ｔａｇ０に対応するので、番号０を割り当てる。ＴＰ０のデータパケット１はｔ２時刻に達し、ｔａｇ１に対応し、シリアル番号１を割り当てる。ＴＰ１のデータパケット１はｔ３時刻に達し、ｔａｇ２に対応するが、ｔａｇ１とｔａｇ２間にデータパケットがないので、ＴＰ１のデータパケット１がｔａｇ２に対応し、シリアル番号１を割り当てる。
【０１３３】
以下、ＰＤＣＰレイヤのデータ同期を実現したトランスポートポイントにより形成された仮想セルが如何に移動性問題を解決するかを説明する。
【０１３４】
図８−（Ａ）を例にし、端末がＴＰ０に近い位置からＴＰ１の方向に移動する。ＴＰ０／ＴＰ１／ＴＰ２がＰＤＣＰレイヤでデータ同期し、ＰＤＵ０／１／２／３／４……が完全に同一である。ＴＰ０の信号が強い場合、ＴＰ０により端末にデータサービスを提供し、ＰＤＣＰ  ＰＤＵ０／１を既に全部伝送して、ＰＤＣＰ  ＰＤＵ２を伝送している。ＴＰ１の信号が強い場合、ＴＰ０が自体のＲＬＣ／ＭＡＣレイヤをリセットし、また端末にＲＬＣ／ＭＡＣレイヤのリセットを指示する（ＲＬＣ／ＭＡＣレイヤのパラメータをリセットし、ＲＬＣ／ＭＡＣレイヤに位置してＰＤＣＰ  ＰＤＵ２と関連付けられたデータパケットを廃棄することを含む）。ＴＰ０はＴＰ１に継続してＰＤＣＰ  ＰＤＵ２を伝送することを指示する。ＴＰ１は、自体のＲＬＣ／ＭＡＣ配置パラメータに基づいて、ＰＤＣＰ  ＰＤＵ２にパッケージングを行って、端末にデータを送信し始める。そして、この時、ＴＰ０がＴＰ１に新しいｍａｓｔｅｒ  ＴＰになったことを通知することができる。
【０１３５】
実施例２
図１０は本発明の実施例に係るトランスポートポイントがＰＤＣＰレイヤのパケット転送方式で仮想セルのデータを取得してデータ同期を実現することを示す図、図１０に示すように、トランスポートポイントＴＰ０／ＴＰ１／ＴＰ２（図１０を参照）から端末の仮想セルを構成する。Ｔ０はｍａｓｔｅｒ  ＴＰで、ｗｉｒｅｄ  ｂａｃｋｈａｕｌを介してゲートウェイ（ＧＷ、Ｇａｔｅ  ｗａｙ）からのデータを取得する（ＴＰ１／ＴＰ２はｗｉｒｅｄ  ｂａｃｋｈａｕｌを介してゲートウェイに接続されることができ、ゲートウェイに接続されないこともできる）。ＴＰ０は、ＰＤＣＰレイヤでゲートウェイからのデータにパッケージングを行って、ＰＤＣＰレイヤのＰＤＵを形成する。ＴＰ０は、ｗｉｒｅｌｅｓｓ  ｂａｃｋｈａｕｌを用いて、ＰＤＣＰレイヤのＰＤＵをＴＰ１／ＴＰ２に送信して、ＴＰ０／ＴＰ１／ＴＰ２間のデータ同期を実現する。
【０１３６】
ＴＰ０は、放送方式でデータパケットを転送することができれば、ユニキャストの方式でデータパケットをそれぞれＴＰ１／ＴＰ２に送信することもできる。
【０１３７】
図１０−（Ａ）に示すように、端末がＴＰ０に近い位置からＴＰ１の方向に移動する。ＴＰ０／ＴＰ１／ＴＰ２はＰＤＣＰレイヤでデータ同期を実現し、ＰＤＣＰ  ＰＤＵ０／１／２／３／４……は完全に同一である。ＴＰ０の信号が強い場合、ＴＰ０が端末にデータサービスを提供し、ＰＤＣＰ  ＰＤＵ０／１は既に全部伝送し、ＰＤＣＰ  ＰＤＵ２を伝送している。ＴＰ１の信号が強い場合、ＴＰ０は、自体のＲＬＣ／ＭＡＣレイヤをリセットし、端末にＲＬＣ／ＭＡＣレイヤのリセットを指示する。即ち、ＲＬＣ／ＭＡＣレイヤのパラメータをリセットし、ＲＬＣ／ＭＡＣレイヤに位置しＰＤＣＰ  ＰＤＵ２に関連付けられたデータパケットを廃棄する。ＴＰ０は、ＴＰ１に継続してＰＤＣＰ  ＰＤＵ２を伝送することを指示する。ＴＰ１は、自体のＲＬＣ／ＭＡＣ配置パラメータに基づいて、ＰＤＣＰ  ＰＤＵ２にパッケージングを行って、端末にデータを送信し始める。そして、この時、ＴＰ０がＴＰ１に新しいｍａｓｔｅｒ  ＴＰになったことを通知することができる。
【０１３８】
図１０−（Ａ）の例において、ＲＬＣ／ＭＡＣレイヤのリセットによって、ＲＬＣ／ＭＡＣレイヤが伝送中のデータパケットが廃棄処理され、ＴＰ１で再び伝送しなければならない問題が発生した。該問題によってリソースを浪費し、データパケットの伝送の遅延を増加することになる。データレートが高い場合、このような問題はシステムの性能に厳重な影響を与えてしまう。他の一つの可能な方案は、図１０−（Ｂ）に示すように、ＴＰ０がＰＤＣＰ  ＰＤＵ２の伝送を終了した後にＲＬＣ／ＭＡＣレイヤをリセットすることである。ＰＤＣＰ  ＰＤＵ２の伝送中に、端末は、ＴＰ１との接続を確立し、新しいＲＬＣ／ＭＡＣエンティティを確立して、ＰＤＣＰ  ＰＤＵ３の伝送を開始することができる。
【０１３９】
実施例３
図１１は本発明の実施例に係るトランスポートポイントが有線ｂａｃｋｈａｕｌを介して仮想セルのデータを取得し、ＰＤＣＰ／ＲＬＣ／ＭＡＣ同期情報を用いてデータ同期を実現摺ることを示す図、図１１に示すように、トランスポートポイントＴＰ０／ＴＰ１／ＴＰ２により端末の仮想セルを構成し、ｗｉｒｅｄ  ｂａｃｋｈａｕｌを介してゲートウェイ（ＧＷ、Ｇａｔｅ  ｗａｙ）からのデータを取得し（環状ネットワーク構造を例にし、他のネットワーク構造及びゲートウェイデータの取得方法は実施例１を参照）、ここで、ＴＰ０がｍａｓｔｅｒ  ＴＰである。
【０１４０】
以下、ＰＤＣＰ／ＲＬＣ／ＭＡＣデータ同期を実現する二つの方法を説明する。
方法１：各ＴＰが同時にＰＤＣＰ／ＲＬＣ／ＭＡＣレイヤの同期を実現し、図１１−（Ａ）に示す通りである。
【０１４１】
ＴＰ０が、ＰＤＣＰ／ＲＬＣ／ＭＡＣレイヤのデータ同期情報を一緒に仮想セル内のＴＰ１とＴＰ２に送信する（放送方式で送信したり、又はそれぞれＴＰ１／ＴＰ２に送信する）。ＴＰ１／ＴＰ２は、これらの情報に基づいて、ＴＰ０との対応するレイヤにおけるデータ同期を実現する。具体的な方法は以下の通りである。
【０１４２】
（１）ＰＤＣＰレイヤの同期情報及び対応するデータ同期方法は実施例１を参照することができる。
【０１４３】
（２）ＲＬＣレイヤの情報（ＵＭモードを例にする）は、送信バッファーの状態、ＲＬＣ  ＰＤＵのパケットヘッダーを含む。ＴＰ１／ＴＰ２は、ＴＰ０の送信バッファー状態に応じて自体の送信バッファーを更新する。ＴＰ１／ＴＰ２は、ＴＰ０のＲＬＣ  ＰＤＵパケットヘッダーにより指示されたデータ同期情報に基づいて、それぞれの送信バッファーからＲＬＣ  ＳＤＵを取り出して、ＲＬＣ  ＳＤＵにセグメント化／連結処理を行って、パケットヘッダーを添加し、ＲＬＣ  ＰＤＵにパッケージングする。
【０１４４】
（３）ＭＡＣレイヤの情報は以下を含む。
【０１４５】
初めて伝送されるＭＡＣ  ＰＤＵの場合、スケジューリングやリソース割り当て情報（例えば、リソースの時間や周波数位置、使用した変調符号化方式、冗長バージョン情報等、プロセス番号、プリコーディング情報）と、ＭＡＣレイヤパケットヘッダーと、ＭＡＣレイヤ制御要素（ＭＡＣ  ｃｏｎｔｒｏｌ  ｅｌｅｍｅｎｔ）と、ＭＡＣレイヤパケットヘッダー中のサブパケットヘッダーとＭＡＣ  ＳＤＵ（即ち、ＲＬＣ  ＰＤＵ）の番号との対応関係を含む。
【０１４６】
再度伝送されるＭＡＣ  ＰＤＵの場合、スケジューリングやリソース割り当て情報（例えば、リソースの時間や周波数位置、使用した変調符号化方式、冗長バージョン情報等、プロセス番号、プリコーディング情報）を含む。
【０１４７】
方法２：ＴＰ１とＴＰ０がＰＤＣＰレイヤでの同期を実現し、ＴＰ２とＴＰ０がＰＤＣＰ／ＲＬＣ／ＭＡＣレイヤでの同期を実現し、図１１−（Ｂ）に示す通りである。
【０１４８】
ＴＰ０は、ＰＤＣＰレイヤのデータ同期情報をＴＰ１とＴＰ２に送信し、ＲＬＣ／ＭＡＣレイヤのデータ同期情報をＴＰ２に送信する。ＴＰ１とＴＰ０がＰＤＣＰレイヤでの同期を実現し、ＴＰ２とＴＰ０がＰＤＣＰ／ＲＬＣ／ＭＡＣレイヤでの同期を実現する。各レイヤの同期情報の内容及びデータ同期の方法は方法１に記載を参照することができる。
【０１４９】
以下、例をあげて本実施例で提供した方法で如何に干渉及び移動性問題を解決するかを説明する。
【０１５０】
方法１の場合（図１１−（Ａ）を参照）、端末がＴＰ０／ＴＰ２に近い位置からＴＰ１／ＴＰ２に近い位置に移動する。ＴＰ０／ＴＰ１／ＴＰ２がＰＤＣＰ／ＲＬＣ／ＭＡＣレイヤでデータ同期を実現する。
【０１５１】
ＴＰ０／ＴＰ２に近い位置にある場合、端末にＴＰ０／ＴＰ２によりデータ伝送サービスを提供し、結合信号処理によって干渉問題を解決する。信号結合処理（ＪＰ、Ｊｏｉｎｔ  Ｐｒｏｃｅｓｓｉｎｇ）は、信号結合送信（ＪＴ、Ｊｏｉｎｔ  Ｔｒａｎｓｍｉｓｓｉｏｎ）を含み、即ち、ＴＰ０とＴＰ２が同一のＭＡＣレイヤのデータを送信し、物理信号が端末でコヒーレンス（ｃｏｈｅｒｅｎｔ）スタック又は非コヒーレンス（ｎｏｎ−ｃｏｈｅｒｅｎｔ）スタックして受信信号の強度を向上させ、干渉に対抗する。又は、トランスポートポイント動的選択（ＤＰＳ、Ｄｙｎａｍｉｃ  Ｐｏｉｎｔ  Ｓｅｌｅｃｔｉｏｎ）、ＴＰ０とＴＰ２との間で信号品質が最もよいトランスポートポイントを動的に選択して端末にサービスを提供する。
【０１５２】
端末がＴＰ１／ＴＰ２に近い位置に移動する場合、ＴＰ０の信号がますます悪くなっていて、ＴＰ１の信号はますます強くなっていく。この時、ＴＰ０は、ＴＰ１／ＴＰ２に信号結合処理方式で端末にサービスを提供することを指示する。
【０１５３】
方法２の場合（図１１−（Ｂ）を参照）、端末がＴＰ０／ＴＰ２に近い位置からＴＰ１／ＴＰ２に近い位置に移動する。ＴＰ０／ＴＰ２がＰＤＣＰ／ＲＬＣ／ＭＡＣレイヤでデータ同期を実現し、ＴＰ０／ＴＰ１がＰＤＣＰレイヤでデータ同期を実現した。
【０１５４】
ＴＰ０／ＴＰ２に近い位置にある場合、端末にＴＰ０／ＴＰ１によりデータ伝送サービスを提供し、結合信号処理によって干渉問題を解決する。端末がＴＰ１／ＴＰ２に近い位置に移動する場合、ＴＰ１により継続して端末にサービスを提供すると、ＴＰ０は、自体のＲＬＣ／ＭＡＣレイヤをリセットし、端末にＲＬＣ／ＭＡＣレイヤのリセットを指示する（ＲＬＣ／ＭＡＣレイヤのパラメータをリセットし、ＲＬＣ／ＭＡＣレイヤに位置して伝送中のデータパケットを廃棄することを含む）。ＴＰ０は、ＴＰ１に継続してＲＬＣ／ＭＡＣレイヤが廃棄したデータパケットに対応するＰＤＣＰ  ＰＤＵを伝送することを指示する。ＴＰ１は、自体のＲＬＣ／ＭＡＣ配置パラメータに基づいて、対応するＰＤＣＰ  ＰＤＵにパッケージングを行って、端末にデータを送信し始める。又は、ＴＰ０が、ＴＰ１に端末にサービスを提供すると共に、端末と接続を維持し、ＲＬＣ／ＭＡＣレイヤの送信待ちのデータパケットを継続して伝送することを指示する（この時、ＴＰ０／ＴＰ１が同時に端末にサービスを提供する）。
【０１５５】
実施例４
図１２は本発明の実施例に係るトランスポートポイントがＭＡＣレイヤのパケット転送方式で仮想セルのデータを取得してデータ同期を実現することを示す図で、図１２に示すように、トランスポートポイントＴＰ０／ＴＰ１／ＴＰ２（図１２を参照）により端末の仮想セルを構成する。Ｔ０はｍａｓｔｅｒ  ＴＰで、ｗｉｒｅｄ  ｂａｃｋｈａｕｌを介して、ゲートウェイ（ＧＷ、Ｇａｔｅ  ｗａｙ）からのデータを取得する（ＴＰ１／ＴＰ２がｗｉｒｅｄ  ｂａｃｋｈａｕｌを介してゲートウェイに接続されることができれば、ゲートウェイに接続されないこともできる）。ＴＰ０は、ＰＤＣＰ／ＲＬＣ／ＭＡＣレイヤでゲートウェイからのデータにパッケージングを行って、ＭＡＣレイヤのＰＤＵを形成する。ＴＰ０は、ｗｉｒｅｌｅｓｓ  ｂａｃｋｈａｕｌを用いて、ＭＡＣレイヤのＰＤＵ及びスケジューリングやリソース割り当て情報をＴＰ１／ＴＰ２に送信して、ＴＰ０／ＴＰ１／ＴＰ２間のデータ同期を実現する。
【０１５６】
ＴＰ０は、放送方式でデータパケットを伝送することができれば、ユニキャストの方式でそれぞれデータパケットをＴＰ１／ＴＰ２に送信することもできる。以下、例をあげて本実施例で提供するデータ同期方法で如何に干渉及び移動性問題を解決するかを説明する。
【０１５７】
図１２−（Ａ）に示すように、端末がＴＰ０に近い位置からＴＰ１に近い位置に移動する。ＴＰ０に近い場合、ＴＰ０によりサービスを提供し（データ及び関連するスケジューリング、リソース割り当て情報を送信する）、ＭＡＣ  ＰＤＵ０は既に正確に受信し、ＭＡＣ  ＰＤＵ１は再送信中である。ＴＰ１に近い位置に移動した場合、ＴＰ０が、ＴＰ１に端末にサービスを提供することを指示し、ＴＰ１は継続してＭＡＣ  ＰＤＵ１の再送信パケットを送信する。そして、ＴＰ１が端末にサービスを提供する場合、リソース割り当て及びスケジューリング情報をＴＰ０により端末に送信することができれば、ＴＰ１により端末に送信することもできる。
【０１５８】
図１２−（Ｂ）に示すように、端末がＴＰ０に近い位置からＴＰ１に近い位置に移動する。ＴＰ０に近い場合、ＴＰ０によりサービスを提供し（データ及び関連するスケジューリング、リソース割り当て情報を送信する）、ＭＡＣ  ＰＤＵ０は正確似受信していて、ＭＡＣ  ＰＤＵ１は再送信中である。端末がＴＰ１に移動する場合、ＴＰ０は、ＴＰ１に端末にサービスを提供することを指示する。信号の受信品質を向上し、干渉に対抗するため、ＴＰ０／ＴＰ１は信号結合送信方式を採用して同時に端末にサービスを提供し、継続してＭＡＣ  ＰＤＵ１の再送信パケットを送信する。
【０１５９】
実施例５
トランスポートポイントＴＰ０／ＴＰ１／ＴＰ２により端末の仮想セルを構成する。Ｔ０はｍａｓｔｅｒ  ＴＰで、ｗｉｒｅｄ  ｂａｃｋｈａｕｌを介してゲートウェイ（ＧＷ、Ｇａｔｅ  ｗａｙ）からのデータを取得する（ＴＰ１／ＴＰ２はｗｉｒｅｄ  ｂａｃｋｈａｕｌを介してゲートウェイに接続されることができれば、ゲートウェイに接続されないこともできる）。ＴＰ０は、ＰＤＣＰレイヤでゲートウェイからのデータにパッケージングを行って（暗号化等の操作を含む）、ＰＤＣＰレイヤのＰＤＵを形成する。ＴＰ０は、ｗｉｒｅｌｅｓｓ  ｂａｃｋｈａｕｌを用いて、ＰＤＣＰレイヤのＰＤＵをＴＰ１／ＴＰ２に送信し、ＲＬＣ／ＭＡＣレイヤのデータ同期情報をＴＰ２に送信する。ＴＰ２はＲＬＣ／ＭＡＣレイヤのデータ同期情報に基づいて、ＰＤＣＰ  ＰＤＵにパッケージングを行って、ＲＬＣ／ＭＡＣレイヤのＰＤＵを得る。（ＲＬＣ／ＭＡＣデータ同期情報及び同期方法は実施例３を参照することができる）
本実施例のデータ同期方法によると、ＴＰ０／ＴＰ１がＰＤＣＰレイヤでのデータ同期を実現することができ、ＴＰ０／ＴＰ２がＰＤＣＰ／ＲＬＣ／ＭＡＣレイヤでのデータ同期を実現することができる。移動性及び干渉問題を解決する方法は実施例３を参照することができる。
【０１６０】
上記した本発明の各手段又は各ステップを共通の計算装置によって実現することができ、単独の計算装置に集中させることができれば、複数の計算装置から構成されるネットワークに分布させることもでき、更に計算装置が実行可能なプログラムコードによって実現することもできるので、それらを記憶装置に記憶させて計算装置によって実行することができ、場合によっては、他の順で図に示す又は説明したステップを実行することができ、又は夫々集積回路手段に製作し、又はそれらの中の複数の手段又はステップを単一の集積回路手段に製作して実現できることは当業者にとって明らかなことである。このように、本発明は如何なる特定のハードウェアとソフトウェアの結合にも限定されない。
【０１６１】
以上は、本発明の好適な実施例に過ぎず、本発明を限定するものではない。当業者であれば本発明にさまざまな修正や変形が可能である。本発明の精神や原則内での全ての修正、置換、改良などは本発明の保護範囲内に含まれる。
【産業上の利用可能性】
【０１６２】
上述のように、上記実施例及び好適な実施形態によると、既存技術において如何にセル仮想化効果を保証しつつデータ同期のオーバーヘッドを制御するかの問題を解決し、セル仮想化の需要に応じてデータ同期を実現するレイヤ数を柔軟に調節して制御し、セル仮想化効果を保証しつつデータ同期のオーバーヘッド及び実現複雑度を制御する効果を実現できる。
【図１】
2017530644.tif 000003
【図２】
2017530644.tif 000004
【図３】
2017530644.tif 000005
【図４】
2017530644.tif 000006
【図５】
2017530644.tif 000007
【図６】
2017530644.tif 000008
【図７】
2017530644.tif 000009
【図８】
2017530644.tif 000010
【図９】
2017530644.tif 000011
【図１０】
2017530644.tif 000012
【図１１】
2017530644.tif 000013
【図１２】
2017530644.tif 000014
【手続補正書】
【提出日】平成29年3月30日(2017.3.30)
【手続補正１】
【補正対象書類名】特許請求の範囲
【補正対象項目名】全文
【補正方法】変更
【補正の内容】
【特許請求の範囲】
【請求項１】
主トランスポートポイントＴＰがＭ＋Ｎ個（Ｍ０、Ｎ０、Ｍ＋Ｎ１）の従属ＴＰにシグナル及び／又は転送パケットを送信することと、
シグナル及び／又は転送パケットを送信することで前記従属ＴＰと下りデータ同期を行うことと、を含み、
その中、Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理方法。
【請求項２】
前記ＰＤＣＰレイヤが、従属ＴＰと主ＴＰのＰＤＣＰレイヤのプロトコルデータユニットＰＤＵが同一であるようにデータ同期する請求項１に記載の方法。
【請求項３】
前記主ＴＰが前記ＰＤＣＰレイヤの前記ＰＤＵを前記従属ＴＰに送信することを含むデータパケットを転送する方式と、
前記主ＴＰが、前記従属ＴＰがＰＤＣＰレイヤのＳＤＵにパッケージングを行ってＰＤＣＰレイヤのＰＤＵを形成するに用いられる前記ＰＤＣＰレイヤのデータ同期情報を前記従属ＴＰに送信することを含むシグナル方式と、
の中の少なくとも一つの方式で、前記ＰＤＣＰレイヤのデータ同期を行う請求項２に記載の方法。
【請求項４】
前記ＰＤＣＰレイヤのデータ同期情報が、ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む請求項３に記載の方法。
【請求項５】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期する請求項１に記載の方法。
【請求項６】
前記主ＴＰがＰＤＣＰレイヤ、ＲＬＣレイヤ、ＭＡＣレイヤのデータのデータ同期情報を前記従属ＴＰに送信することを含むシグナル方式と、ここで前記ＰＤＣＰレイヤ、ＲＬＣレイヤ、ＭＡＣレイヤの前記データ同期情報は、前記従属ＴＰがＰＤＣＰレイヤ、ＲＬＣレイヤ、ＭＡＣレイヤのＳＤＵにパッケージングを行ってＰＤＣＰレイヤ、ＲＬＣレイヤ、ＭＡＣレイヤのＰＤＵを形成するに用いられ、
前記主ＴＰがＰＤＣＰレイヤのＰＤＵを前記従属ＴＰに伝送し、また前記従属ＴＰがＲＬＣ及びＭＡＣレイヤのＰＤＵを形成するに用いるＲＬＣ／ＭＡＣレイヤのデータ同期情報を前記従属ＴＰに伝送すること、又は前記主ＴＰがＰＤＣＰレイヤのＳＤＵを前記従属ＴＰに送信し、また前記従属ＴＰがＰＤＣＰ、ＲＬＣ、ＭＡＣレイヤのＰＤＵを形成するに用いるＰＤＣＰ／ＲＬＣ／ＭＡＣレイヤのデータ同期情報を前記従属ＴＰに送信することを含むシグナルにパケットを追加して転送する方式と、
の中の一つの方式で、前記従属ＴＰと前記主ＴＰのＰＤＣＰ、ＲＬＣ、ＭＡＣレイヤのＰＤＵの同一を実現する請求項５に記載の方法。
【請求項７】
ヘッダー圧縮情報、暗号化情報、ＰＤＣＰレイヤのパケットヘッダー、ＰＤＣＰデータパケット番号、スーパーフレーム番号、最大データパケット番号の中の少なくとも一つを含む前記ＰＤＣＰレイヤのデータ同期情報と、
ＲＬＣ送信バッファー状態、ＲＬＣレイヤのＰＤＵパケットヘッダーの中の少なくとも一つを含む前記ＲＬＣデータ同期情報と、
スケジューリングやリソース割り当て情報、ＭＡＣレイヤパケットヘッダー、ＭＡＣレイヤ制御要素と、ＭＡＣレイヤのパケットヘッダー中のサブパケットヘッダーとＭＡＣ  ＳＤＵの番号との対応関係の中の少なくとも一つを含む前記ＭＡＣレイヤのデータ同期情報と、
の中の少なくとも一つを含む請求項６に記載の方法。
【請求項８】
前記ＰＤＣＰ／ＲＬＣ／ＭＡＣレイヤが、ＭＡＣレイヤのＰＤＵが同一であるようにデータ同期し、前記主ＴＰがＭＡＣレイヤのＰＤＵを前記従属ＴＰに送信するパケット転送方式によって実現する請求項５に記載の方法。
【請求項９】
前記ＰＤＣＰレイヤのデータ同期は、
前記従属ＴＰと前記主ＴＰがまずＰＤＣＰレイヤの同期を実現し、その後、ＲＬＣ／ＭＡＣレイヤのデータ同期を行うことを含む請求項１に記載の方法。
【請求項１０】
ＰＤＣＰレイヤの同期を行った後、前記主ＴＰがシグナルを介して、前記従属ＴＰにＲＬＣ／ＭＡＣレイヤのデータ同期を行うことを通知する請求項９に記載の方法。
【請求項１１】
前記ＰＤＣＰレイヤのデータ同期が、
前記主ＴＰがノードに、データパケットを前記従属ＴＰに送信することを指示することと、
前記主ＴＰが前記従属ＴＰに、ノードからのデータを受信することを指示することと、
前記主ＴＰが前記従属ＴＰに、ノードにデータ要求を送信することを指示し、前記従属ＴＰがノードにデータ送信要求を送信し、ノードが前記従属ＴＰにデータを送信すること、
の中の少なくとも一つを含む請求項１に記載の方法。
【請求項１２】
前記主ＴＰがノードにデータパケットを前記従属ＴＰに送信することを指示する場合、前記主ＴＰが前記従属ＴＰのマーク情報をノードに送信し、
前記主ＴＰが前記従属ＴＰにノードからのデータを受信することを指示する場合、前記主ＴＰが前記データパケットのマーク情報を前記従属ＴＰに送信し、
前記主ＴＰが前記従属ＴＰにノードにデータ要求を送信することを指示し、前記従属ＴＰがノードにデータ送信要求を送信し、ノードが前記従属ＴＰにデータを送信する場合、前記従属ＴＰが要求したデータパケットのマーク情報を前記ノードに送信する請求項１１に記載の方法。
【請求項１３】
前記主ＴＰがノードにデータパケットを前記従属ＴＰに送信することを指示する場合、前記従属ＴＰが、前記ノードからのデータパケットに前記従属ＴＰに対応するマーク情報が含まれているか否かを検出する請求項１２に記載の方法。
【請求項１４】
前記データパケットのマーク情報が、仮想セルマーク、接続マーク、ユーザ機器マークの中の少なくとも一つを含む請求項１２に記載の方法。
【請求項１５】
前記ノードが、ゲートウェイ又はＴＰである請求項１１に記載の方法。
【請求項１６】
前記ＴＰが、マクロ基地局、スモール基地局、ＲＲＨ、マイクロ基地局の中の少なくとも一つを含む請求項１乃至１５の中のいずれかに記載の方法。
【請求項１７】
従属トランスポートポイントＴＰが、主ＴＰから送信されたシグナル及び／又は転送パケットを受信することと、
シグナル及び／又は転送パケットを受信することで前記主ＴＰと下りデータ同期を実現することと、を含み、
ここで、Ｍ個の従属ＴＰと主ＴＰとはパケットデータコンバージェンスプロトコルＰＤＣＰレイヤでデータ同期を実現し、Ｎ（Ｍ０、Ｎ０、Ｍ＋Ｎ１）個の従属ＴＰと主ＴＰとはＰＤＣＰ／無線リンク制御ＲＬＣ／媒体アクセス制御ＭＡＣレイヤでデータ同期を実現するデータ同期処理方法。
【請求項１８】
前記ＰＤＣＰレイヤが、従属ＴＰと主ＴＰのＰＤＣＰレイヤのプロトコルデータユニットＰＤＵが同一であるようにデータ同期するる請求項１７に記載の方法。
【請求項１９】
前記ＰＤＣＰ／ＲＬＣ／ＭＡＣレイヤが、前記従属ＴＰと前記主ＴＰのＰＤＣＰ、ＲＬＣ、ＭＡＣレイヤのＰＤＵが同一であるように、又はＭＡＣレイヤのＰＤＵが同一であるようにデータ同期する請求項１７に記載の方法。
【請求項２０】
主トランスポートポイントＴＰに位置するデータ同期処理装置であって、
Ｍ＋Ｎ個（Ｍ０、Ｎ０、Ｍ＋Ｎ１）の従属ＴＰにシグナル及び／又は転送パケットを送信するように構成される送信手段と、
シグナル及び／又は転送パケットを送信することで前記従属ＴＰと下りデータ同期を行うように構成される第１の同期手段と、を含み、
Ｍ個の従属ＴＰと主ＴＰとはパケットデータコンバージェンスプロトコルＰＤＣＰレイヤでデータ同期を行い、Ｎ個の従属ＴＰと主ＴＰとはＰＤＣＰ／無線リンク制御ＲＬＣ／媒体アクセス制御ＭＡＣレイヤでデータ同期を行うデータ同期処理装置。
【国際調査報告】
2017530644.tif 000015
2017530644.tif 000016
2017530644.tif 000017
2017530644.tif 000018